(57)【要約】  本発明の一実施例は、無線通信システムにおいて、端末がＰＳＣＣＨ(Ｐｈｙｓｉｃａｌ ｓｉｄｅｌｉｎｋ ｃｏｎｔｒｏｌ ｃｈａｎｎｅｌ)及びＰＳＳＣＨ(Ｐｈｙｓｉｃａｌ ｓｉｄｅｌｉｎｋ ｓｈａｒｅｄ ｃｈａｎｎｅｌ)を受信する方法であって、ＰＳＣＣＨと該ＰＳＣＣＨにより指示されるＰＳＳＣＨとの間の時間間隔を示す情報及びＰＳＳＣＨが再伝送であるか否かを指示する情報を含むＰＳＣＣＨを受信する段階；及び時間間隔を示す情報及びＰＳＳＣＨが再伝送であるか否かを指示する情報を使用して決定されたリソースにおいてＰＳＳＣＨを受信する段階を含み、ＰＳＳＣＨが再伝送であるか否かによって、時間間隔を示す情報がリソースの決定時に正の値で使用されるか負の値で使用されるかが決定される、ＰＳＣＣＨ及びＰＳＳＣＨの受信方法である。
2019525680.tif 000002
【特許請求の範囲】
【請求項１】
無線通信システムにおいて、端末がＰＳＣＣＨ(Ｐｈｙｓｉｃａｌ ｓｉｄｅｌｉｎｋ ｃｏｎｔｒｏｌ ｃｈａｎｎｅｌ)及びＰＳＳＣＨ(Ｐｈｙｓｉｃａｌ ｓｉｄｅｌｉｎｋ ｓｈａｒｅｄ ｃｈａｎｎｅｌ)を受信する方法であって、
ＰＳＣＣＨと前記ＰＳＣＣＨにより指示されるＰＳＳＣＨとの間の時間間隔を示す情報及び前記ＰＳＳＣＨが再伝送であるか否かを指示する情報を含むＰＳＣＣＨを受信する段階；及び
前記時間間隔を示す情報及び前記ＰＳＳＣＨが再伝送であるか否かを指示する情報を使用して決定されたリソースにおいて前記ＰＳＳＣＨを受信する段階を含み、
前記ＰＳＳＣＨが再伝送であるか否かによって、前記時間間隔を示す情報が前記リソースの決定時に正の値で使用されるか負の値で使用されるかが決定される、ＰＳＣＣＨ及びＰＳＳＣＨの受信方法。
【請求項２】
前記ＰＳＳＣＨが再伝送である場合、前記リソースは前記ＰＳＣＣＨが受信されたサブフレームから前記時間間隔を示す情報ほど先立つサブフレームに位置する、請求項１に記載のＰＳＣＣＨ及びＰＳＳＣＨの受信方法。
【請求項３】
前記ＰＳＳＣＨが再伝送の最初伝送である場合、前記リソースは前記ＰＳＣＣＨが受信されたサブフレームから前記時間間隔を示す情報ほど後れたサブフレームに位置する、請求項１に記載のＰＳＣＣＨ及びＰＳＳＣＨの受信方法。
【請求項４】
前記ＰＳＣＣＨとＰＳＳＣＨがＦＤＭ(Ｆｒｅｑｕｅｎｃｙ Ｄｉｖｉｓｉｏｎ Ｍｕｌｔｉｐｌｅｘｉｎｇ)されたものであり、前記ＰＳＳＣＨが再伝送に該当する場合、前記端末は前記ＰＳＳＣＨに対する測定結果を前記再伝送の最初伝送の測定結果として推定する、請求項１に記載のＰＳＣＣＨ及びＰＳＳＣＨの受信方法。
【請求項５】
前記測定結果は前記ＰＳＳＣＨに対する参照信号の伝送電力である、請求項１に記載のＰＳＣＣＨ及びＰＳＳＣＨの受信方法。
【請求項６】
前記参照信号は前記ＰＳＣＣＨのＤＭＲＳ(ＤｅＭｏｄｕｌａｔｉｏｎ Ｒｅｆｅｒｅｎｃｅ Ｓｉｇｎａｌ)に該当するものである、請求項５に記載のＰＳＣＣＨ及びＰＳＳＣＨの受信方法。
【請求項７】
無線通信システムにおいて、ＰＳＣＣＨ(Ｐｈｙｓｉｃａｌ ｓｉｄｅｌｉｎｋ ｃｏｎｔｒｏｌ ｃｈａｎｎｅｌ)及びＰＳＳＣＨ(Ｐｈｙｓｉｃａｌ ｓｉｄｅｌｉｎｋ ｓｈａｒｅｄ ｃｈａｎｎｅｌ)を受信する端末装置であって、
送信装置と受信装置；及び
プロセッサを含み、
前記プロセッサは、ＰＳＣＣＨと前記ＰＳＣＣＨにより指示されるＰＳＳＣＨとの間の時間間隔を示す情報及び前記ＰＳＳＣＨが再伝送であるか否かを指示する情報を含むＰＳＣＣＨを前記受信装置で受信し、前記時間間隔を示す情報及び前記ＰＳＳＣＨが再伝送であるか否かを指示する情報を使用して決定されたリソースにおいて前記ＰＳＳＣＨを前記受信装置で受信し、
前記ＰＳＳＣＨが再伝送であるか否かによって、前記時間間隔を示す情報が前記リソースの決定時に正の値で使用されるか負の値で使用されるかが決定される、端末装置。
【請求項８】
前記ＰＳＳＣＨが再伝送である場合、前記リソースは前記ＰＳＣＣＨが受信されたサブフレームから前記時間間隔を示す情報ほど先立つサブフレームに位置する、請求項７に記載の端末装置。
【請求項９】
前記ＰＳＳＣＨが再伝送の最初伝送である場合、前記リソースは前記ＰＳＣＣＨが受信されたサブフレームから前記時間間隔を示す情報ほど後れたサブフレームに位置する、請求項７に記載の端末装置。
【請求項１０】
前記ＰＳＣＣＨとＰＳＳＣＨがＦＤＭ(Ｆｒｅｑｕｅｎｃｙ Ｄｉｖｉｓｉｏｎ Ｍｕｌｔｉｐｌｅｘｉｎｇ)されたものであり、前記ＰＳＳＣＨが再伝送に該当する場合、前記端末は前記ＰＳＳＣＨに対する測定結果を前記再伝送の最初伝送の測定結果として推定する、請求項７に記載の端末装置。
【請求項１１】
前記測定結果は前記ＰＳＳＣＨに対する参照信号の伝送電力である、請求項７に記載の端末装置。
【請求項１２】
前記参照信号は前記ＰＳＣＣＨのＤＭＲＳ(ＤｅＭｏｄｕｌａｔｉｏｎ Ｒｅｆｅｒｅｎｃｅ Ｓｉｇｎａｌ)に該当するものである、請求項１１に記載の端末装置。
【発明の詳細な説明】
【技術分野】
【０００１】
本発明は無線通信システムに関し、より詳しくは、端末がＰＳＣＣＨ(Ｐｈｙｓｉｃａｌ ｓｉｄｅｌｉｎｋ ｃｏｎｔｒｏｌ ｃｈａｎｎｅｌ)及びＰＳＳＣＨ(Ｐｈｙｓｉｃａｌ ｓｉｄｅｌｉｎｋ ｓｈａｒｅｄ ｃｈａｎｎｅｌ)を送受信する方法及び装置に関する。
【背景技術】
【０００２】
無線通信システムが音声やデータなどの多様な種類の通信サービスを提供するために広範囲に展開されている。一般に、無線通信システムは可用のシステムリソース（帯域幅、伝送パワーなど）を共有して多重使用者との通信を支援することができる多重接続（ｍｕｌｔｉｐｌｅ ａｃｃｅｓｓ）システムである。多重接続システムの例としては、ＣＤＭＡ（ｃｏｄｅ ｄｉｖｉｓｉｏｎ ｍｕｌｔｉｐｌｅ ａｃｃｅｓｓ）システム、ＦＤＭＡ（ｆｒｅｑｕｅｎｃｙ ｄｉｖｉｓｉｏｎ ｍｕｌｔｉｐｌｅ ａｃｃｅｓｓ）システム、ＴＤＭＡ（ｔｉｍｅ ｄｉｖｉｓｉｏｎ ｍｕｌｔｉｐｌｅ ａｃｃｅｓｓ）システム、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）システム、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）システム、ＭＣ−ＦＤＭＡ（ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ）システムなどがある。
【０００３】
装置対装置（Ｄｅｖｉｃｅ−ｔｏ−Ｄｅｖｉｃｅ；Ｄ２Ｄ）通信とは、端末（Ｕｓｅｒ Ｅｑｕｉｐｍｅｎｔ；ＵＥ）同士の間に直接的なリンクを設定し、基地局（ｅｖｏｌｖｅｄ ＮｏｄｅＢ；ｅＮＢ）を介入せずに端末同士が音声、データなどを直接交換する通信方式をいう。Ｄ２Ｄ通信は端末−対−端末（ＵＥ−ｔｏ−ＵＥ）通信、ピア−対−ピア（Ｐｅｅｒ−ｔｏ−Ｐｅｅｒ）通信などの方式を含むことができる。また、Ｄ２Ｄ通信方式は、Ｍ２Ｍ（Ｍａｃｈｉｎｅ−ｔｏ−Ｍａｃｈｉｎｅ）通信、ＭＴＣ（Ｍａｃｈｉｎｅ Ｔｙｐｅ Ｃｏｍｍｕｎｉｃａｔｉｏｎ）などに応用することができる。
【０００４】
Ｄ２Ｄ通信は、急増するデータトラフィックによる基地局の負担を解決できる一方案として考慮されている。例えば、Ｄ２Ｄ通信によれば、既存の無線通信システムと違い、基地局を介入せずに装置間でデータを交換するので、ネットワークの過負荷を減らすことができる。また、Ｄ２Ｄ通信を導入することによって、基地局の手続きの減少、Ｄ２Ｄに参加する装置の消費電力の減少、データ伝送速度の増加、ネットワークの収容能力の増加、負荷分散、セル・カバレッジ拡大などの効果を期待することができる。
【０００５】
現在、Ｄ２Ｄ通信に関連付く形態として、Ｖ２Ｘ通信に対する議論が行われている。Ｖ２Ｘは、車両端末間のＶ２Ｖ、車両と他の種類の端末との間のＶ２Ｐ、車両とＲＳＵ（ｒｏａｄｓｉｄｅ ｕｎｉｔ）との間のＶ２Ｉ通信を含む概念である。
【発明の概要】
【発明が解決しようとする課題】
【０００６】
本発明は、ＰＳＳＣＨ伝送が最初伝送であるか再伝送であるかによって時間間隔情報について異なる解釈をしてＰＳＳＣＨを把握することを技術的課題とする。
【０００７】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００８】
本発明の一実施例は、無線通信システムにおいて、端末がＰＳＣＣＨ(Ｐｈｙｓｉｃａｌ ｓｉｄｅｌｉｎｋ ｃｏｎｔｒｏｌ ｃｈａｎｎｅｌ)及びＰＳＳＣＨ(Ｐｈｙｓｉｃａｌ ｓｉｄｅｌｉｎｋ ｓｈａｒｅｄ ｃｈａｎｎｅｌ)を受信する方法であって、ＰＳＣＣＨと該ＰＳＣＣＨにより指示されるＰＳＳＣＨとの間の時間間隔を示す情報及びＰＳＳＣＨが再伝送であるか否かを指示する情報を含むＰＳＣＣＨを受信する段階；及び時間間隔を示す情報及びＰＳＳＣＨが再伝送であるか否かを指示する情報を使用して決定されたリソースにおいてＰＳＳＣＨを受信する段階を含み、ＰＳＳＣＨが再伝送であるか否かによって、時間間隔を示す情報がリソースの決定時に正の値で使用されるか負の値で使用されるかが決定される、ＰＳＣＣＨ及びＰＳＳＣＨの受信方法である。
【０００９】
本発明の一実施例は、無線通信システムにおいて、ＰＳＣＣＨ(Ｐｈｙｓｉｃａｌ ｓｉｄｅｌｉｎｋ ｃｏｎｔｒｏｌ ｃｈａｎｎｅｌ)及びＰＳＳＣＨ(Ｐｈｙｓｉｃａｌ ｓｉｄｅｌｉｎｋ ｓｈａｒｅｄ ｃｈａｎｎｅｌ)を受信する端末装置であって、送信装置と受信装置；及びプロセッサを含み、プロセッサは、ＰＳＣＣＨと該ＰＳＣＣＨにより指示されるＰＳＳＣＨとの間の時間間隔を示す情報及びＰＳＳＣＨが再伝送であるか否かを指示する情報を含むＰＳＣＣＨを受信装置で受信し、時間間隔を示す情報及びＰＳＳＣＨが再伝送であるか否かを指示する情報を使用して決定されたリソースにおいてＰＳＳＣＨを受信装置で受信し、ＰＳＳＣＨが再伝送であるか否かによって、時間間隔を示す情報がリソースの決定時に正の値で使用されるか負の値で使用されるかが決定される、端末装置である。
【００１０】
ＰＳＳＣＨが再伝送である場合、リソースはＰＳＣＣＨが受信されたサブフレームから時間間隔を示す情報ほど先立つサブフレームに位置することができる。
【００１１】
ＰＳＳＣＨが再伝送の最初伝送である場合、リソースはＰＳＣＣＨが受信されたサブフレームから時間間隔を示す情報ほど後れたサブフレームに位置することができる。
【００１２】
ＰＳＣＣＨとＰＳＳＣＨがＦＤＭ(Ｆｒｅｑｕｅｎｃｙ Ｄｉｖｉｓｉｏｎ Ｍｕｌｔｉｐｌｅｘｉｎｇ)されたものであり、ＰＳＳＣＨが再伝送に該当する場合、端末はＰＳＳＣＨに対する測定結果を再伝送の最初伝送の測定結果として推定できる。
【００１３】
測定結果はＰＳＳＣＨに対する参照信号の伝送電力であることができる。
【００１４】
参照信号はＰＳＣＣＨのＤＭＲＳ(ＤｅＭｏｄｕｌａｔｉｏｎ Ｒｅｆｅｒｅｎｃｅ Ｓｉｇｎａｌ)に該当するものである。
【発明の効果】
【００１５】
本発明によれば、端末がＰＳＣＣＨを逃しても、最初伝送／再伝送されるＰＳＳＣＨを全部把握することができる。従って、ＰＳＣＣＨを安定して伝達するために必要な高いレベルのＭＣＳ又は比較的大きい伝送電力を使用しなくてもよいので効率的である。
【００１６】
本発明で得られる効果は以上に言及した効果に制限されず、言及しなかった他の効果は下記の記載から本発明が属する当該技術分野における当業者に明確に理解されるであろう。
【図面の簡単な説明】
【００１７】
本明細書に添付する図面は本発明に対する理解を提供するためのものであり、本発明の多様な実施形態を示し、本発明の説明とともに本発明の原理を説明するためのものである。
【００１８】
【図１】無線フレームの構造を示す図である。
【図２】下りリンクスロットにおけるリソースグリッド(ｒｅｓｏｕｒｃｅ ｇｒｉｄ)を示す図である。
【図３】下りリンクサブフレームの構造を示す図である。
【図４】上りリンクサブフレームの構造を示す図である。
【図５】多重アンテナを有する無線通信システムを示す構成図である。
【図６】Ｄ２Ｄ同期信号が伝送されるサブフレームを示す図である。
【図７】Ｄ２Ｄ信号のリレーを説明する図である。
【図８】Ｄ２Ｄ通信のためのＤ２Ｄリソースプールの一例を示す図である。
【図９】ＳＡ周期を説明する図である。
【図１０】ＳＡとＤ２Ｄデータの伝送が周波数軸上で区分される様々な方式を示す図である。
【図１１】ＳＡとＤ２Ｄデータの伝送が周波数軸上で区分される様々な方式を示す図である。
【図１２】ＳＡとＤ２Ｄデータの伝送が周波数軸上で区分される様々な方式を示す図である。
【図１３】ＳＡとＤ２Ｄデータの伝送が周波数軸上で区分される様々な方式を示す図である。
【図１４】ＳＡとＤ２Ｄデータの伝送が周波数軸上で区分される様々な方式を示す図である。
【図１５】ＳＡとＤ２Ｄデータの伝送が周波数軸上で区分される様々な方式を示す図である。
【図１６】ＳＡとＤ２Ｄデータの伝送が周波数軸上で区分される様々な方式を示す図である。
【図１７】ＳＡとＤ２Ｄデータの伝送が周波数軸上で区分される様々な方式を示す図である。
【図１８】ＳＡとＤ２Ｄデータの伝送が周波数軸上で区分される様々な方式を示す図である。
【図１９】ＳＡとＤ２Ｄデータの伝送が時間軸上で区分される様々な方式を示す図である。
【図２０】ＳＡとＤ２Ｄデータの伝送が時間軸上で区分される様々な方式を示す図である。
【図２１】ＳＡとＤ２Ｄデータの伝送が時間軸上で区分される様々な方式を示す図である。
【図２２】ＳＡとＤ２Ｄデータの伝送が時間軸上で区分される様々な方式を示す図である。
【図２３】ＳＡとＤ２Ｄデータの伝送が時間軸上で区分される様々な方式を示す図である。
【図２４】その他の方式を示す図である。
【図２５】ＳＡが２つのＤ２Ｄデータを指示する場合を例示する図である。
【図２６】ＳＡが２つのＤ２Ｄデータを指示する場合を例示する図である。
【図２７】送受信装置の構成を示す図である。
【発明を実施するための形態】
【００１９】
以下の実施例は、本発明の構成要素及び特徴を所定の形態で結合したものである。各構成要素又は特徴は、別に明示しない限り、選択的なものとして考慮され得る。各構成要素又は特徴は、他の構成要素や特徴と結合しない形態で実施されてもよく、また、一部の構成要素及び／又は特徴は結合されて本発明の実施例を構成してもよい。本発明の実施例で説明される動作の順序は変更されてもよい。ある実施例の一部の構成や特徴は、他の実施例に含まれてもよく、他の実施例の対応する構成又は特徴に代えてもよい。
【００２０】
本明細書では、本発明の実施例を、基地局と端末間におけるデータ送受信の関係を中心に説明する。ここで、基地局は、端末と通信を直接行うネットワークの終端ノード（ｔｅｒｍｉｎａｌｎｏｄｅ）としての意味を有する。本文書で、基地局により行われるとした特定動作は、場合によっては、基地局の上位ノード（ｕｐｐｅｒｎｏｄｅ）により行われてもよい。
【００２１】
即ち、基地局を含む複数のネットワークノード（ｎｅｔｗｏｒｋ ｎｏｄｅｓ）で構成されるネットワークにおいて、端末との通信のために行われる様々な動作は、基地局、又は基地局以外の他のネットワークノードにより行われるということは明らかである。「基地局（ＢＳ：Ｂａｓｅ Ｓｔａｔｉｏｎ）」は、固定局（ｆｉｘｅｄ ｓｔａｔｉｏｎ）、ＮｏｄｅＢ、ｅＮｏｄｅＢ（ｅＮＢ）、アクセスポイント（ＡＰ：Ａｃｃｅｓｓ Ｐｏｉｎｔ）などの用語に代えてもよい。中継機は、Ｒｅｌａｙ Ｎｏｄｅ（ＲＮ）、Ｒｅｌａｙ Ｓｔａｔｉｏｎ（ＲＳ）などの用語に代えてもよい。また、「端末（Ｔｅｒｍｉｎａｌ）」は、ＵＥ（Ｕｓｅｒ Ｅｑｕｉｐｍｅｎｔ）、ＭＳ（Ｍｏｂｉｌｅ Ｓｔａｔｉｏｎ）、ＭＳＳ（Ｍｏｂｉｌｅ Ｓｕｂｓｃｒｉｂｅｒ Ｓｔａｔｉｏｎ）、ＳＳ（Ｓｕｂｓｃｒｉｂｅｒ Ｓｔａｔｉｏｎ）などの用語に代えてもよい。また、以下の説明において、「基地局」とは、スケジューリング実行ノード、クラスターヘッダー（ｃｌｕｓｔｅｒ ｈｅａｄｅｒ）などの装置を指す意味としても使用可能である。もし、基地局やリレーも、端末が送信する信号を送信すれば、一種の端末と見なすことができる。
【００２２】
以下に記述されるセルの名称は、基地局（ｂａｓｅｓｔａｔｉｏｎ、ｅＮＢ）、セクタ（ｓｅｃｔｏｒ）、リモートラジオヘッド（ｒｅｍｏｔｅｒａｄｉｏｈｅａｄ，ＲＲＨ）、リレー（ｒｅｌａｙ）などの送受信ポイントに適用され、また、特定送受信ポイントで構成搬送波（ｃｏｍｐｏｎｅｎｔ ｃａｒｒｉｅｒ）を区分するための包括的な用語で使われてもよい。
【００２３】
以下の説明で使われる特定用語は、本発明の理解を助けるために提供されたもので、これらの特定用語の使用は、本発明の技術的思想から逸脱することなく他の形態に変更されてもよい。
【００２４】
場合によっては、本発明の概念が曖昧になることを避けるために、公知の構造及び装置を省略したり、各構造及び装置の核心機能を中心にしたブロック図の形式で示すこともできる。また、本明細書全体を通じて同一の構成要素には同一の図面符号を付して説明する。
【００２５】
本発明の実施例は、無線接続システムであるＩＥＥＥ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることができる。即ち、本発明の実施例において本発明の技術的思想を明確にするために説明していない段階又は部分は、上記の標準文書でサーポートすることができる。なお、本文書で開示している全ての用語は、上記の標準文書によって説明することができる。
【００２６】
以下の技術は、ＣＤＭＡ（Ｃｏｄｅ Ｄｉｖｉｓｉｏｎ Ｍｕｌｔｉｐｌｅ Ａｃｃｅｓｓ）、ＦＤＭＡ（Ｆｒｅｑｕｅｎｃｙ Ｄｉｖｉｓｉｏｎ Ｍｕｌｔｉｐｌｅ Ａｃｃｅｓｓ）、ＴＤＭＡ（Ｔｉｍｅ Ｄｉｖｉｓｉｏｎ Ｍｕｌｔｉｐｌｅ Ａｃｃｅｓｓ）、ＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）、ＳＣ−ＦＤＭＡ（Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ）などのような種々の無線接続システムに用いることができる。ＣＤＭＡは、ＵＴＲＡ（Ｕｎｉｖｅｒｓａｌ Ｔｅｒｒｅｓｔｒｉａｌ Ｒａｄｉｏ Ａｃｃｅｓｓ）やＣＤＭＡ２０００のような無線技術（ｒａｄｉｏ ｔｅｃｈｎｏｌｏｇｙ）によって具現することができる。ＴＤＭＡは、ＧＳＭ（Ｇｌｏｂａｌ Ｓｙｓｔｅｍ ｆｏｒ Ｍｏｂｉｌｅ ｃｏｍｍｕｎｉｃａｔｉｏｎｓ）／ＧＰＲＳ（Ｇｅｎｅｒａｌ Ｐａｃｋｅｔ Ｒａｄｉｏ Ｓｅｒｖｉｃｅ）／ＥＤＧＥ（Ｅｎｈａｎｃｅｄ Ｄａｔａ Ｒａｔｅｓ ｆｏｒ ＧＳＭ Ｅｖｏｌｕｔｉｏｎ）のような無線技術によって具現することができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ ＵＴＲＡ）などのような無線技術によって具現することができる。ＵＴＲＡは、ＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）の一部である。３ＧＰＰ（３ｒｄ Ｇｅｎｅｒａｔｉｏｎ Ｐａｒｔｎｅｒｓｈｉｐ Ｐｒｏｊｅｃｔ）ＬＴＥ（ｌｏｎｇ ｔｅｒｍ ｅｖｏｌｕｔｉｏｎ）は、Ｅ−ＵＴＲＡを用いるＥ−ＵＭＴＳ（Ｅｖｏｌｖｅｄ ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進展である。ＷｉＭＡＸは、ＩＥＥＥ８０２．１６ｅ規格（ＷｉｒｅｌｅｓｓＭＡＮ−ＯＦＤＭＡ Ｒｅｆｅｒｅｎｃｅ Ｓｙｓｔｅｍ）及び進展したＩＥＥＥ８０２．１６ｍ規格（ＷｉｒｅｌｅｓｓＭＡＮ−ＯＦＤＭＡ Ａｄｖａｎｃｅｄ ｓｙｓｔｅｍ）によって説明することができる。明確性のために、以下では、３ＧＰＰ ＬＴＥ及びＬＴＥ−Ａシステムを中心に説明するが、本発明の技術的思想はこれに制限されない。
【００２７】
ＬＴＡ／ＬＴＡ−Ａリソース構造／チャネル
【００２８】
図１を参照して無線フレームの構造について説明する。
【００２９】
セルラーＯＦＤＭ無線パケット通信システムにおいて、上り／下りリンク信号パケット送信はサブフレーム（ｓｕｂｆｒａｍｅ）単位に行われ、１サブフレームは、複数のＯＦＤＭシンボルを含む一定の時間区間と定義される。３ＧＰＰ ＬＴＥ標準では、ＦＤＤ（Ｆｒｅｑｕｅｎｃｙ Ｄｉｖｉｓｉｏｎ Ｄｕｐｌｅｘ）に適用可能なタイプ１無線フレーム（ｒａｄｉｏ ｆｒａｍｅ）構造と、ＴＤＤ（Ｔｉｍｅ Ｄｉｖｉｓｉｏｎ Ｄｕｐｌｅｘ）に適用可能なタイプ２無線フレーム構造を支援する。
【００３０】
図１の（ａ）は、タイプ１無線フレームの構造を例示する図である。下りリンク無線フレームは１０個のサブフレームで構成され、１個のサブフレームは時間領域（ｔｉｍｅ ｄｏｍａｉｎ）において２個のスロット（ｓｌｏｔ）で構成される。１個のサブフレームを送信するためにかかる時間をＴＴＩ（ｔｒａｎｓｍｉｓｓｉｏｎ ｔｉｍｅ ｉｎｔｅｒｖａｌ）という。例えば、１サブフレームの長さは１ｍｓであり、１スロットの長さは０．５ｍｓであってよい。１スロットは時間領域において複数のＯＦＤＭシンボルを含み、周波数領域において複数のリソースブロック（Ｒｅｓｏｕｒｃｅ Ｂｌｏｃｋ；ＲＢ）を含む。３ＧＰＰ ＬＴＥシステムでは、下りリンクでＯＦＤＭＡを用いているため、ＯＦＤＭシンボルが１シンボル区間を表す。ＯＦＤＭシンボルは、ＳＣ−ＦＤＭＡシンボル又はシンボル区間と呼ぶこともできる。リソースブロック（ＲＢ）はリソース割当て単位であり、１スロットにおいて複数個の連続した副搬送波（ｓｕｂｃａｒｒｉｅｒ）を含むことができる。
【００３１】
１スロットに含まれるＯＦＤＭシンボルの数は、ＣＰ（Ｃｙｃｌｉｃ Ｐｒｅｆｉｘ）の構成（ｃｏｎｆｉｇｕｒａｔｉｏｎ）によって異なってもよい。ＣＰには、拡張ＣＰ（ｅｘｔｅｎｄｅｄ ＣＰ）及び一般ＣＰ（ｎｏｒｍａｌ ＣＰ）がある。例えば、ＯＦＤＭシンボルが一般ＣＰによって構成された場合、１スロットに含まれるＯＦＤＭシンボルの数は７個であってよい。ＯＦＤＭシンボルが拡張ＣＰによって構成された場合、１ＯＦＤＭシンボルの長さが増加するため、１スロットに含まれるＯＦＤＭシンボルの数は、一般ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合は、シンボル間干渉をより減らすために、拡張ＣＰを用いることができる。
【００３２】
一般ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ ｄｏｗｎｌｉｎｋ ｃｏｎｔｒｏｌ ｃｈａｎｎｅｌ）に割り当て、残りのＯＦＤＭシンボルはＰＤＳＣＨ（ｐｈｙｓｉｃａｌ ｄｏｗｎｌｉｎｋ ｓｈａｒｅｄ ｃｈａｎｎｅｌ）に割り当てることができる。
【００３３】
図１の（ｂ）は、タイプ２無線フレームの構造を示す図である。タイプ２無線フレームは、２ハーフフレーム（ｈａｌｆ ｆｒａｍｅ）で構成される。各ハーフフレームは、５サブフレーム、ＤｗＰＴＳ（Ｄｏｗｎｌｉｎｋ Ｐｉｌｏｔ Ｔｉｍｅ Ｓｌｏｔ）、保護区間（Ｇｕａｒｄ Ｐｅｒｉｏｄ；ＧＰ）、及びＵｐＰＴＳ（Ｕｐｌｉｎｋ Ｐｉｌｏｔ Ｔｉｍｅ Ｓｌｏｔ）で構成され、ここで、１サブフレームは２スロットで構成される。ＤｗＰＴＳは、端末での初期セル探索、同期化又はチャネル推定に用いられる。ＵｐＰＴＳは、基地局でのチャネル推定と端末の上り送信同期を取るために用いられる。保護区間は、上りリンク及び下りリンク間に下りリンク信号の多重経路遅延によって上りリンクで生じる干渉を除去するための区間である。一方、無線フレームのタイプにかかわらず、１個のサブフレームは２個のスロットで構成される。
【００３４】
無線フレームの構造は例示に過ぎず、無線フレームに含まれるサブフレームの数、サブフレームに含まれるスロットの数、又はスロットに含まれるシンボルの数は様々に変更されてもよい。
【００３５】
図２は、下りリンクスロットにおけるリソースグリッド（ｒｅｓｏｕｒｃｅ ｇｒｉｄ）を示す図である。同図で、１下りリンクスロットは時間領域で７個のＯＦＤＭシンボルを含み、１リソースブロック（ＲＢ）は周波数領域で１２個の副搬送波を含むとしたが、本発明はこれに制限されない。例えば、一般ＣＰ（ｎｏｒｍａｌ−Ｃｙｃｌｉｃ Ｐｒｅｆｉｘ）では１スロットが７ＯＦＤＭシンボルを含むが、拡張ＣＰ（ｅｘｔｅｎｄｅｄ−ＣＰ）では１スロットが６ＯＦＤＭシンボルを含んでもよい。リソースグリッド上のそれぞれの要素をリソース要素（ｒｅｓｏｕｒｃｅ ｅｌｅｍｅｎｔ）と呼ぶ。１リソースブロックは１２×７個のリソース要素を含む。下りリンクスロットに含まれるリソースブロックの個数ＮＤＬは、下り送信帯域幅による。上りリンクスロットは下りリンクスロットと同一の構造を有することができる。
【００３６】
図３は、下りリンクサブフレームの構造を示す図である。１サブフレーム内で第１のスロットにおける先頭部の最大３個のＯＦＤＭシンボルは、制御チャネルが割り当てられる制御領域に該当する。残りのＯＦＤＭシンボルは、物理下り共有チャネル（Ｐｈｙｓｉｃａｌ Ｄｏｗｎｌｉｎｋ Ｓｈａｒｅｄ Ｃｈａｎｃｅｌ；ＰＤＳＣＨ）が割り当てられるデータ領域に該当する。３ＧＰＰ ＬＴＥシステムで用いられる下り制御チャネルには、例えば、物理制御フォーマット指示子チャネル（Ｐｈｙｓｉｃａｌ Ｃｏｎｔｒｏｌ Ｆｏｒｍａｔ ＩｎｄｉｃａｔｏｒＣｈａｎｎｅｌ；ＰＣＦＩＣＨ）、物理下り制御チャネル（Ｐｈｙｓｉｃａｌ Ｄｏｗｎｌｉｎｋ Ｃｏｎｔｒｏｌ Ｃｈａｎｎｅｌ；ＰＤＣＣＨ）、物理ＨＡＲＱ指示子チャネル（Ｐｈｙｓｉｃａｌ Ｈｙｂｒｉｄ ａｕｔｏｍａｔｉｃ ｒｅｐｅａｔ ｒｅｑｕｅｓｔ Ｉｎｄｉｃａｔｏｒ Ｃｈａｎｅｌ；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ ＡＣＫ／ＮＡＣＫ信号を含む。ＰＤＣＣＨで送信される制御情報を、下りリンク制御情報（Ｄｏｗｎｌｉｎｋ Ｃｏｎｔｒｏｌ Ｉｎｆｏｒｍａｔｉｏｎ；ＤＣＩ）という。ＤＣＩは、上りリンク又は下りリンクスケジューリング情報を含んだり、任意の端末グループに対する上り送信電力制御命令を含む。ＰＤＣＣＨは、下り共有チャネル（ＤＬ−ＳＣＨ）のリソース割当て及び送信フォーマット、上り共有チャネル（ＵＬ−ＳＣＨ）のリソース割当て情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ Ａｃｃｅｓｓ Ｒｅｓｐｏｎｓｅ）のような上位層制御メッセージのリソース割当て、任意の端末グループ内の個別端末に対する送信電力制御命令のセット、送信電力制御情報、ＶｏＩＰ（Ｖｏｉｃｅ ｏｖｅｒ ＩＰ）の活性化などを含むことができる。複数のＰＤＣＣＨが制御領域内で送信されてもよく、端末は複数のＰＤＣＣＨをモニタすることができる。ＰＤＣＣＨは一つ以上の連続する制御チャネル要素（Ｃｏｎｔｒｏｌ Ｃｈａｎｎｅｌ Ｅｌｅｍｅｎｔ；ＣＣＥ）の組み合わせ（ａｇｇｒｅｇａｔｉｏｎ）で送信される。ＣＣＥは、無線チャネルの状態に基づくコーディングレートでＰＤＣＣＨを提供するために用いられる論理割当て単位である。ＣＣＥは、複数個のリソース要素グループに対応する。ＰＤＣＣＨのフォーマットと利用可能なビット数は、ＣＣＥの個数とＣＣＥによって提供されるコーディングレート間の相関関係によって決定される。基地局は、端末に送信されるＤＣＩによってＰＤＣＣＨフォーマットを決定し、制御情報に巡回冗長検査（Ｃｙｃｌｉｃ Ｒｅｄｕｎｄａｎｃｙ Ｃｈｅｃｋ；ＣＲＣ）を付加する。ＣＲＣは、ＰＤＣＣＨの所有者又は用途によって無線ネットワーク臨時識別子（Ｒａｄｉｏ Ｎｅｔｗｏｒｋ Ｔｅｍｐｏｒａｒｙ Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ Ｉｎｄｉｃａｔｏｒ Ｉｄｅｎｔｉｆｉｅｒ；Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００３７】
図４は、上りリンクサブフレームの構造を示す図である。上りリンクサブフレームは、周波数領域で制御領域とデータ領域とに区別できる。制御領域には上りリンク制御情報を含む物理上り制御チャネル（Ｐｈｙｓｉｃａｌ Ｕｐｌｉｎｋ Ｃｏｎｔｒｏｌ Ｃｈａｎｎｅｌ；ＰＵＣＣＨ）が割り当てられる。データ領域には、ユーザーデータを含む物理上り共有チャネル（Ｐｈｙｓｉｃａｌ ｕｐｌｉｎｋ ｓｈａｒｅｄ ｃｈａｎｎｅｌ；ＰＵＳＣＨ）が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対（ＲＢ ｐａｉｒ）に割り当てられる。リソースブロック対に属するリソースブロックは、２スロットに対して互いに異なった副搬送波を占める。これを、ＰＵＣＣＨに割り当てられるリソースブロック対がスロット境界で周波数−ホップ（ｆｒｅｑｕｅｎｃｙ−ｈｏｐｐｅｄ）するという。
【００３８】
参照信号（Ｒｅｆｅｒｅｎｃｅ Ｓｉｇｎａｌ；ＲＳ）
【００３９】
無線通信システムにおいてパケットを伝送するとき、伝送されるパケットは無線チャネルを介して伝送されるため、伝送過程で信号の歪みが発生し得る。歪んだ信号を受信側で正しく受信するためには、チャネル情報を用いて受信信号で歪みを補正しなければならない。チャネル情報を知るために、送信と受信側の両方で知っている信号を送信し、前記信号がチャネルを介して受信されるときの歪みの程度によってチャネル情報を知る方法を主に用いる。前記信号をパイロット信号（Ｐｉｌｏｔ Ｓｉｇｎａｌ）又は参照信号（Ｒｅｆｅｒｅｎｃｅ Ｓｉｇｎａｌ）という。
【００４０】
多重アンテナを用いてデータを送受信する場合には、正しい信号を受信するためには、各送信アンテナと受信アンテナとの間のチャネル状況を知らなければならない。従って、各送信アンテナ別に、より詳細にはアンテナポート（ｐｏｒｔ）別に別途の参照信号が存在しなければならない。
【００４１】
参照信号は、上りリンク参照信号と下りリンク参照信号とに区分することができる。現在、ＬＴＥシステムには上りリンク参照信号として、
【００４２】
i）ＰＵＳＣＨ及びＰＵＣＣＨを介して伝送された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ；ＤＭ−ＲＳ）、
【００４３】
ii）基地局が、ネットワークが異なる周波数での上りリンクのチャネル品質を測定するためのサウンディング参照信号（Ｓｏｕｎｄｉｎｇ Ｒｅｆｅｒｅｎｃｅ Ｓｉｇｎａｌ；ＳＲＳ）がある。
【００４４】
一方、下りリンク参照信号としては、
【００４５】
i）セル内の全ての端末が共有するセル−特定の参照信号（Ｃｅｌｌ−ｓｐｅｃｉｆｉｃ Ｒｅｆｅｒｅｎｃｅ Ｓｉｇｎａｌ；ＣＲＳ）、
【００４６】
ii）特定の端末のみのための端末−特定の参照信号（ＵＥ−ｓｐｅｃｉｆｉｃ Ｒｅｆｅｒｅｎｃｅ Ｓｉｇｎａｌ）、
【００４７】
iii）ＰＤＳＣＨが伝送される場合、コヒーレントな復調のために伝送されるＤＭ−ＲＳ（ＤｅＭｏｄｕｌａｔｉｏｎ−Ｒｅｆｅｒｅｎｃｅ Ｓｉｇｎａｌ）、
【００４８】
iv）下りリンクＤＭＲＳが伝送される場合、チャネル状態情報（Ｃｈａｎｎｅｌ Ｓｔａｔｅ Ｉｎｆｏｒｍａｔｉｏｎ；ＣＳＩ）を伝達するためのチャネル状態情報参照信号（Ｃｈａｎｎｅｌ Ｓｔａｔｅ Ｉｎｆｏｒｍａｔｉｏｎ− Ｒｅｆｅｒｅｎｃｅ Ｓｉｇｎａｌ；ＣＳＩ−ＲＳ）、
【００４９】
v）ＭＢＳＦＮ（Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ Ｓｉｇｎａｌ）、
【００５０】
vi）端末の地理的位置情報を推定するのに使用される位置参照信号（Ｐｏｓｉｔｉｏｎｉｎｇ Ｒｅｆｅｒｅｎｃｅ Ｓｉｇｎａｌ）がある。
【００５１】
参照信号は、その目的によって２種類に大別することができる。チャネル情報の取得のための目的の参照信号、及びデータの復調のために使用される参照信号がある。前者は、ＵＥが下りリンクへのチャネル情報を取得するのにその目的があるため、広帯域で送信されなければならず、特定のサブフレームで下りリンクデータを受信しない端末であってもその参照信号を受信しなければならない。また、これは、ハンドオーバーなどの状況でも用いられる。後者は、基地局が下りリンクデータを送るとき、当該リソースに共に送る参照信号であって、端末は、当該参照信号を受信することによってチャネル測定をして、データを復調することができるようになる。この参照信号は、データが伝送される領域に伝送されなければならない。
【００５２】
多重アンテナ（ＭＩＭＯ）システムのモデリング
【００５３】
図５は、多重アンテナを有する無線通信システムの構成図である。
【００５４】
図５の（ａ）に示したように、送信アンテナの数をＮｔ個、受信アンテナの数をＮＲ個と増やすと、送信機又は受信機でのみ多数のアンテナを用いる場合とは異なり、アンテナの数に比例して理論的なチャネル伝送容量が増加する。従って、伝送レートを向上させ、周波数効率を画期的に向上させることができる。チャネル伝送容量が増加することによって、伝送レートは、理論的に、単一のアンテナの利用時の最大伝送レート（Ｒｏ）にレート増加率（Ｒｉ）を掛けた分だけ増加し得る。
【００５５】
【数１】
2019525680.tif 000003
【００５６】
例えば、４個の送信アンテナ及び４個の受信アンテナを用いるＭＩＭＯ通信システムでは、単一のアンテナシステムに比べて、理論上、４倍の伝送レートを取得することができる。多重アンテナシステムの理論的容量増加が９０年代半ばに証明されて以来、これを実質的なデータ伝送率の向上へと導くための様々な技術が現在まで盛んに研究されている。また、いくつかの技術は、既に３世代移動通信と次世代無線ＬＡＮなどの様々な無線通信の標準に反映されている。
【００５７】
現在までの多重アンテナ関連研究動向を見ると、様々なチャネル環境及び多重接続環境での多重アンテナ通信容量計算などに関連する情報理論面の研究、多重アンテナシステムの無線チャネル測定及び模型導出の研究、伝送信頼度の向上及び伝送率の向上のための時空間信号処理技術の研究など、様々な観点で盛んに研究が行われている。
【００５８】
多重アンテナシステムでの通信方法を、数学的モデリングを用いてより具体的に説明する。前記システムには、Ｎｔ個の送信アンテナ及びＮｔ個の受信アンテナが存在すると仮定する。
【００５９】
送信信号を説明すると、Ｎｔ個の送信アンテナがある場合、送信可能な最大情報はＮＴ個である。送信情報は、次のように表現することができる。
【００６０】
【数２】
2019525680.tif 000004
【００６１】
一方、図５の（ｂ）は、ＮＲ個の送信アンテナから受信アンテナｉへのチャネルを示した図である。前記チャネルをまとめてベクトル及び行列の形態で表示することができる。図５の（ｂ）において、総ＮＴ個の送信アンテナから受信アンテナｉに到着するチャネルは、次のように表すことができる。
【００６２】
【数３】
2019525680.tif 000005
【００６３】
従って、Ｎｔ個の送信アンテナからＮｒ個の受信アンテナに到着する全てのチャネルは、次のように表現することができる。
【００６４】
【数４】
2019525680.tif 000006
【００６５】
上述した数式モデリングを通じて、受信信号は、次のように表現することができる。
【数５】
2019525680.tif 000007
【００６６】
ランクの他の定義は、行列を固有値分解（Ｅｉｇｅｎ ｖａｌｕｅ ｄｅｃｏｍｐｏｓｉｔｉｏｎ）したとき、０ではない固有値の個数として定義することができる。同様に、ランクの更に他の定義は、特異値分解（ｓｉｎｇｕｌａｒ ｖａｌｕｅ ｄｅｃｏｍｐｏｓｉｔｉｏｎ）したとき、０ではない特異値の個数として定義することができる。従って、チャネル行列におけるランクの物理的な意味は、与えられたチャネルで互いに異なる情報を送ることができる最大数といえる。
【００６７】
本文書の説明において、ＭＩＭＯ送信に対する「ランク（Ｒａｎｋ）」は、特定の時点及び特定の周波数リソースで独立して信号を送信できる経路の数を示し、「レイヤ（ｌａｙｅｒ）の数」は、各経路を介して送信される信号ストリームの個数を示す。一般的に送信端は、信号送信に用いられるランク数に対応する個数のレイヤを送信するため、特に言及がない限り、ランクは、レイヤの個数と同じ意味を有する。
【００６８】
Ｄ２Ｄ端末の同期取得
【００６９】
以下では、上述した説明及び既存のＬＴＥ／ＬＴＥ−Ａシステムに基づいて、Ｄ２Ｄ通信において端末間の同期取得について説明する。ＯＦＤＭシステムでは、時間／周波数同期が取られていない場合、セル間干渉（Ｉｎｔｅｒ−Ｃｅｌｌ Ｉｎｔｅｒｆｅｒｅｎｃｅ）により、ＯＦＤＭ信号において互いに異なる端末間にマルチプレクシングが不可能となり得る。同期を取るためにＤ２Ｄ端末が同期信号を直接送受信し、全ての端末が個別的に同期を取ることは非効率的である。従って、Ｄ２Ｄのような分散ノードシステムでは、特定のノードが代表同期信号を送信し、残りのＵＥがこれに同期を取ることができる。言い換えると、Ｄ２Ｄ信号送受信のために、一部のノード（このとき、ノードは、ｅＮＢ、ＵＥ、ＳＲＮ（ｓｙｎｃｈｒｏｎｉｚａｔｉｏｎ ｒｅｆｅｒｅｎｃｅ ｎｏｄｅ又は同期ソース（ｓｙｎｃｈｒｏｎｉｚａｔｉｏｎ ｓｏｕｒｃｅ）と呼ぶこともできる）であってもよい。）がＤ２Ｄ同期信号（Ｄ２ＤＳＳ、Ｄ２Ｄ Ｓｙｎｃｈｒｏｎｉｚａｔｉｏｎ Ｓｉｇｎａｌ）を送信し、残りの端末がこれに同期を取って信号を送受信する方式を用いることができる。
【００７０】
Ｄ２Ｄ同期信号としては、プライマリ同期信号（ＰＤ２ＤＳＳ（Ｐｒｉｍａｒｙ Ｄ２ＤＳＳ）又はＰＳＳＳ（Ｐｒｉｍａｒｙ Ｓｉｄｅｌｉｎｋ ｓｙｎｃｈｒｏｎｉｚａｔｉｏｎ ｓｉｇｎａｌ））、セカンダリ同期信号（ＳＤ２ＤＳＳ（Ｓｅｃｏｎｄａｒｙ Ｄ２ＤＳＳ）又はＳＳＳＳ（Ｓｅｃｏｎｄａｒｙ Ｓｉｄｅｌｉｎｋ ｓｙｎｃｈｒｏｎｉｚａｔｉｏｎ ｓｉｇｎａｌ））があり得る。ＰＤ２ＤＳＳは、所定長さのザドフチューシーケンス（Ｚａｄｏｆｆ−ｃｈｕ ｓｅｑｕｅｎｃｅ）又はＰＳＳと類似／変形／反復された構造などであってもよい。また、ＤＬ ＰＳＳとは異なり、他のザドフチュールートインデックス（例えば、２６，３７）を使用することができる。ＳＤ２ＤＳＳは、Ｍ−シーケンス又はＳＳＳと類似／変形／反復された構造などであってもよい。もし、端末がｅＮＢから同期を取る場合、ＳＲＮはｅＮＢとなり、Ｄ２ＤＳＳはＰＳＳ／ＳＳＳとなる。ＤＬのＰＳＳ／ＳＳＳとは異なり、ＰＤ２ＤＳＳ／ＳＤ２ＤＳＳはＵＬサブキャリアマッピング方式に従う。図６には、Ｄ２Ｄ同期信号が送信されるサブフレームが示されている。ＰＤ２ＤＳＣＨ（Ｐｈｙｓｉｃａｌ Ｄ２Ｄ ｓｙｎｃｈｒｏｎｉｚａｔｉｏｎ ｃｈａｎｎｅｌ）は、Ｄ２Ｄ信号送受信の前に端末が最も先に知らなければならない基本となる（システム）情報（例えば、Ｄ２ＤＳＳに関連する情報、デュプレックスモード（Ｄｕｐｌｅｘ Ｍｏｄｅ、ＤＭ）、ＴＤＤ ＵＬ／ＤＬ構成、リソースプール関連情報、Ｄ２ＤＳＳに関連するアプリケーションの種類、ｓｕｂｆｒａｍｅ ｏｆｆｓｅｔ、ブロードキャスト情報など）が送信される（放送）チャネルであってもよい。ＰＤ２ＤＳＣＨは、Ｄ２ＤＳＳと同じサブフレーム上で又は後行するサブフレーム上で送信されてもよい。ＤＭＲＳは、ＰＤ２ＤＳＣＨの復調のために使用することができる。
【００７１】
ＳＲＮは、Ｄ２ＤＳＳ、ＰＤ２ＤＳＣＨ（Ｐｈｙｓｉｃａｌ Ｄ２Ｄ ｓｙｎｃｈｒｏｎｉｚａｔｉｏｎ ｃｈａｎｎｅｌ）を送信するノードであってもよい。Ｄ２ＤＳＳは、特定のシーケンスの形態であってもよく、ＰＤ２ＤＳＣＨは、特定の情報を示すシーケンスであるか、又は事前に定められたチャネルコーディングを経た後のコードワードの形態であってもよい。ここで、ＳＲＮは、ｅＮＢ又は特定のＤ２Ｄ端末であってもよい。部分ネットワークカバレッジ（ｐａｒｔｉａｌ ｎｅｔｗｏｒｋ ｃｏｖｅｒａｇｅ）又はカバレッジ外（ｏｕｔ ｏｆ ｎｅｔｗｏｒｋ ｃｏｖｅｒａｇｅ）の場合には、端末がＳＲＮとなり得る。
【００７２】
図７のような状況でカバレッジ外（ｏｕｔ ｏｆ ｃｏｖｅｒａｇｅ）の端末とのＤ２Ｄ通信のために、Ｄ２ＤＳＳはリレーされてもよい。また、Ｄ２ＤＳＳは、多重ホップを介してリレーされてもよい。以下の説明において、同期信号をリレーするということは、直接基地局の同期信号をＡＦリレーすることだけでなく、同期信号の受信時点に合わせて別途のフォーマットのＤ２Ｄ同期信号を送信することも含む概念である。このように、Ｄ２Ｄ同期信号がリレーされることによって、カバレッジ内の端末とカバレッジ外の端末とが直接通信を行うことができる。
【００７３】
Ｄ２Ｄリソースプール
【００７４】
図８には、Ｄ２Ｄ通信を行うＵＥ１、ＵＥ２、及びこれらが用いるＤ２Ｄリソースプールの例が示されている。図８の（ａ）において、ＵＥは、端末又はＤ２Ｄ通信方式に従って信号を送受信する基地局などのネットワーク装備を意味する。端末は、一連のリソースの集合を意味するリソースプール内で特定のリソースに該当するリソースユニットを選択し、当該リソースユニットを用いてＤ２Ｄ信号を送信することができる。受信端末（ＵＥ２）は、ＵＥ１が信号を送信できるリソースプールの構成（ｃｏｎｆｉｇｕｒｅｄ）を受け、当該プール（ｐｏｏｌ）内でＵＥ１の信号を検出することができる。ここで、リソースプールは、ＵＥ１が基地局の接続範囲にある場合には、基地局が知らせることができ、基地局の接続範囲外にある場合には、他の端末が知らせたり、又は事前に定められたリソースで決定されてもよい。一般に、リソースプールは、複数のリソースユニットで構成され、各端末は、一つ又は複数のリソースユニットを選定して自身のＤ２Ｄ信号送信に用いることができる。リソースユニットは、図８の（ｂ）に例示した通りであってもよい。図８の（ｂ）を参照すると、全体の周波数リソースがＮＦ個に分割され、全体の時間リソースがＮＴ個に分割されて、総ＮＦ＊ＮＴ個のリソースユニットが定義されることがわかる。ここでは、当該リソースプールがＮＴサブフレームを周期にして繰り返されるといえる。特に、一つのリソースユニットが、図示のように周期的に繰り返して現れてもよい。又は、時間や周波数領域でのダイバーシチ効果を得るために、一つの論理的なリソースユニットがマッピングされる物理的リソースユニットのインデックスが、時間によって、事前に定められたパターンで変化してもよい。このようなリソースユニットの構造において、リソースプールとは、Ｄ２Ｄ信号を送信しようとする端末が送信に使用できるリソースユニットの集合を意味し得る。
【００７５】
リソースプールは、様々な種類に細分化することができる。まず、各リソースプールで送信されるＤ２Ｄ信号のコンテンツ（ｃｏｎｔｅｎｔｓ）によって区分することができる。例えば、Ｄ２Ｄ信号のコンテンツは区分されてもよく、それぞれに対して別途のリソースプールが構成されてもよい。Ｄ２Ｄ信号のコンテンツとして、ＳＡ（Ｓｃｈｅｄｕｌｉｎｇ ａｓｓｉｇｎｍｅｎｔ；ＳＡ）、Ｄ２Ｄデータチャネル、ディスカバリチャネル（Ｄｉｓｃｏｖｅｒｙ ｃｈａｎｎｅｌ）があり得る。ＳＡは、送信端末が後行するＤ２Ｄデータチャネルの送信に使用するリソースの位置、その他のデータチャネルの復調のために必要なＭＣＳ（ｍｏｄｕｌａｔｉｏｎ ａｎｄ ｃｏｄｉｎｇ ｓｃｈｅｍｅ）やＭＩＭＯ送信方式、ＴＡ（ｔｉｍｉｎｇ ａｄｖａｎｃｅ）などの情報を含む信号であってもよい。この信号は、同一のリソースユニット上でＤ２Ｄデータと共にマルチプレクスされて送信されることも可能であり、この場合、ＳＡリソースプールとは、ＳＡがＤ２Ｄデータとマルチプレクスされて送信されるリソースのプールを意味し得る。他の名称として、Ｄ２Ｄ制御チャネル（ｃｏｎｔｒｏｌ ｃｈａｎｎｅｌ）又はＰＳＣＣＨ（ｐｈｙｓｉｃａｌ ｓｉｄｅｌｉｎｋ ｃｏｎｔｒｏｌ ｃｈａｎｎｅｌ）と呼ぶこともできる。Ｄ２Ｄデータチャネル（又は、ＰＳＳＣＨ（Ｐｈｙｓｉｃａｌ ｓｉｄｅｌｉｎｋ ｓｈａｒｅｄ ｃｈａｎｎｅｌ））は、送信端末がユーザデータを送信するのに使用するリソースのプールであってもよい。同一のリソースユニット上でＤ２Ｄデータと共にＳＡがマルチプレクスされて送信される場合、Ｄ２Ｄデータチャネルのためのリソースプールでは、ＳＡ情報を除いた形態のＤ２Ｄデータチャネルのみが送信され得る。言い換えると、ＳＡリソースプール内の個別リソースユニット上でＳＡ情報を送信するのに使用されていたＲＥｓを、Ｄ２Ｄデータチャネルリソースプールでは、依然としてＤ２Ｄデータを送信するのに使用することができる。ディスカバリチャネルは、送信端末が自身のＩＤなどの情報を送信して、隣接端末が自身を発見できるようにするメッセージのためのリソースプールであってもよい。
【００７６】
Ｄ２Ｄ信号のコンテンツが同じ場合にも、Ｄ２Ｄ信号の送受信属性に応じて異なるリソースプールを使用することができる。例えば、同じＤ２Ｄデータチャネルやディスカバリメッセージであるとしても、Ｄ２Ｄ信号の送信タイミング決定方式（例えば、同期基準信号の受信時点で送信されるか、それとも一定のＴＡを適用して送信されるか）やリソース割り当て方式（例えば、個別信号の送信リソースをｅＮＢが個別送信ＵＥに指定するか、それとも個別送信ＵＥがプール内で独自で個別信号送信リソースを選択するか）、信号フォーマット（例えば、各Ｄ２Ｄ信号が１サブフレームで占めるシンボルの個数や、一つのＤ２Ｄ信号の送信に使用されるサブフレームの個数）、ｅＮＢからの信号の強度、Ｄ２Ｄ ＵＥの送信電力の強度などによって、再び互いに異なるリソースプールに区分されてもよい。説明の便宜上、Ｄ２ＤコミュニケーションにおいてｅＮＢがＤ２Ｄ送信ＵＥの送信リソースを直接指示する方法をＭｏｄｅ１、送信リソース領域が予め設定されていたり、ｅＮＢが送信リソース領域を指定し、ＵＥが送信リソースを直接選択したりする方法をＭｏｄｅ２と呼ぶことにする。Ｄ２Ｄ ｄｉｓｃｏｖｅｒｙの場合には、ｅＮＢがリソースを直接指示する場合にはＴｙｐｅ２、予め設定されたリソース領域又はｅＮＢが指示したリソース領域でＵＥが送信リソースを直接選択する場合はＴｙｐｅ１と呼ぶことにする。
【００７７】
ＳＡの送受信
【００７８】
モード１端末は、基地局によって構成されたリソースでＳＡ（又は、Ｄ２Ｄ制御信号、ＳＣＩ（Ｓｉｄｅｌｉｎｋ Ｃｏｎｔｒｏｌ Ｉｎｆｏｒｍａｔｉｏｎ））を送信することができる。モード２端末は、Ｄ２Ｄ送信に用いるリソースが基地局によって構成される。そして、当該構成されたリソースで時間周波数リソースを選択してＳＡを送信することができる。
【００７９】
ＳＡ周期は、図９に示すように定義することができる。図９を参照すると、一番目のＳＡ周期は、特定システムフレームから、上位層シグナリングによって指示された所定オフセット（ＳＡＯｆｆｓｅｔＩｎｄｉｃａｔｏｒ）だけ離れたサブフレームで開始することができる。各ＳＡ周期は、ＳＡリソースプールとＤ２Ｄデータ伝送のためのサブフレームプールを含むことができる。ＳＡリソースプールは、ＳＡ周期の一番目のサブフレームから、サブフレームビットマップ（ｓａＳｕｂｆｒａｍｅＢｉｔｍａｐ）でＳＡが送信されると指示されたサブフレームのうち、最後のサブフレームまでを含むことができる。Ｄ２Ｄデータ伝送のためのリソースプールは、モード１の場合、Ｔ−ＲＰＴ（Ｔｉｍｅ−ｒｅｓｏｕｒｃｅ ｐａｔｔｅｒｎ ｆｏｒ ｔｒａｎｓｍｉｓｓｉｏｎ又はＴＲＰ（Ｔｉｍｅ−ｒｅｓｏｕｒｃｅ ｐａｔｔｅｒｎ））が適用されることによって、実際にデータ伝送に用いられるサブフレームが決定され得る。図示のように、ＳＡリソースプールを除くＳＡ周期に含まれたサブフレームの個数がＴ−ＲＰＴビット個数よりも多い場合、Ｔ−ＲＰＴを反復して適用することができ、最後に適用されるＴ−ＲＰＴは、残ったサブフレームの個数だけトランケート（ｔｒｕｎｃａｔｅ）して適用することができる。送信端末は、指示したＴ−ＲＰＴにおいてＴ−ＲＰＴビットマップが１である位置で送信を行い、１つのＭＡＣ ＰＤＵは４回ずつ送信をする。
【００８０】
以下、上述した説明に基づいて、機器間の直接通信(Ｄ２Ｄ)、車両間の通信(ｖｅｈｉｃｌｅ−ｔｏ−ｖｅｈｉｃｌｅ)又は車両と他の機器間の通信(ｖｅｈｉｃｌｅ−ｔｏ−ｓｏｍｅｔｈｉｎｇ)において、送信機器が信号を送信するリソースの位置を動的に指示するための方法について説明する。Ｖ２ＸやＶ２Ｖのようなサービスでは、ｄｅｌａｙ ｃｏｎｓｔｒａｉｎｔがセルラー又はＤ２Ｄの場合より厳しく適用され、またＳＡ周期の間でも伝送リソースやリソース割り当て、ＭＣＳなどの伝送関連パラメータを変更する必要がある。従って、既存のＳＡ伝送、Ｔ−ＲＰＴによるデータ伝送方式をそのまま適用することは難しい。例えば、従来の方式のようにＳＡを伝送し、データを伝送する方式は、ＳＡを受信できなかった場合には今後のデータパケットを受信できないことがある。またＳＡ周期の中間にパケットが発生してもすぐデータパケットを伝送できず、その分遅延(ｄｅｌａｙ)が大きくなる。以下、この問題を解決できる、より動的にＤ２Ｄ制御信号(ＳＡ)とＤ２Ｄデータを伝送する方法について説明する。以下の説明において、ＳＡ(ｓｃｈｅｄｕｌｉｎｇ ａｓｓｉｇｎｍｅｎｔ)又はＤ２Ｄ制御情報とは、Ｄ２Ｄデータの情報伝送に必要な各種制御情報が伝送される信号を称し、サブフレームパターン(ｅ．ｇ．Ｔ−ＲＰＴ)、ｆｒｅｑｕｅｎｃｙ ｒｅｓｏｕｒｃｅ ａｌｌｏｃａｔｉｏｎ、ＭＣＳ、伝送パワー、ＲＶ(ｒｅｄｕｎｄａｎｃｙ ｖｅｒｓｉｏｎ)、ＲＶ ｃｙｃｌｉｎｇタイプ(ＲＶが固定であるか可変であるかを指示する情報)、ＭＡＣ ＰＤＵ当たりの伝送回数、ＮＤＩのうちの全部又は一部を含む。各ＳＡ伝送において、他の制御情報が伝送されることもできる。以下、まずＳＡとＤ２Ｄデータが周波数軸上で伝送が区分される方式について説明した後、時間軸上で伝送が区分される方式について説明する。但し、この区分は説明の便宜のためのものであり、一方の方式が他方の方式を完全に排除するという意味ではない。即ち、ＳＡとＤ２Ｄデータが周波数軸上で伝送が区分される方式においても、ＳＡとＤ２ＤデータがＴＤＭされることができる。
【００８１】
ＳＡとＤ２Ｄデータの伝送が周波数軸上で区分される方式
【００８２】
周波数領域において、制御情報を区分して伝送し、データは制御情報以後(又は以前)に連接して伝送することができる。端末はＤ２Ｄ制御情報を伝送し、Ｄ２Ｄ制御情報に相応するＤ２Ｄデータを伝送できる。ここで、Ｄ２Ｄ制御情報とＤ２Ｄデータが同一のサブフレームで伝送され、Ｄ２Ｄ制御情報とＤ２Ｄデータは周波数軸上で常に隣接することができる。ここで、Ｄ２Ｄ制御情報とＤ２Ｄデータが隣接するとは、周波数軸上で連続しているという意味である。Ｄ２Ｄ制御情報とＤ２Ｄデータが隣接して伝送される場合の例示が図１０乃至図１２に示されている。図１０乃至図１２について詳しくは後述する。
【００８３】
次に、ＳＡとデータが同じサブフレームでＦＤＭされて伝送される場合、ＳＡとデータのパワーにオフセットが印加される。かかるＳＡとデータのパワーオフセット値は、ＳＡとデータがＴＤＭされる時とＦＤＭされる時に互いに異なるように設定される。又はＳＡとデータがＴＤＭされる場合には、別のオフセットが適用されないことができる(オフセット値０)。
【００８４】
即ち、Ｄ２Ｄ制御情報とＤ２Ｄデータの各々にパワーオフセット値が適用されることができる。また、Ｄ２Ｄ制御情報とＤ２Ｄデータには異なるパワーオフセット値が適用されることができる。もし、Ｄ２Ｄ制御情報とＤ２Ｄデータに同一のパワーオフセットを適用するか、或いはＰＳＤ(ｐｏｗｅｒ ｓｐｅｃｔｒａｌ ｄｅｎｓｉｔｙ)を同一に適用すると、Ｄ２Ｄ制御情報のカバレッジがデータより小さくなる問題が生じ得る。例えば、図１３の(ｂ)を参照すると、同一のＢＬＥＲにおいてＰＳＣＣＨのＳＮＲがＰＳＳＣＨのＳＮＲより低い。従って、Ｄ２Ｄ制御情報とＤ２Ｄデータに異なるパワーオフセットを印加することにより、上記問題を解決できる。具体的には、Ｄ２Ｄ制御情報をパワーオフセットほど上昇した電力で伝送してＤ２Ｄ制御情報のカバレッジを広げることにより、Ｄ２Ｄ制御情報とＤ２Ｄデータのカバレッジ不一致の問題を解決できる。
【００８５】
また、パワーオフセット値は、Ｄ２Ｄ制御情報とＤ２Ｄデータのために割り当てられたリソースサイズによって変わる。例えば、データのリソースのサイズが大きい場合、オフセット値が大きく設定される。これは、データリソースのサイズが大きくなる場合、より多いコーディング利得によってデータのカバレッジが広くなる効果があり、この時、制御信号により高い伝送電力を割り当てることができる。しかし、データのリソースのサイズが特定の臨界を超えると、受信端末が要求する最小ＰＳＤ ｌｅｖｅｌを満足できず、単純に比例関係に設定した場合に問題が発生することがある。従って、一般的にデータリソースのサイズと伝送電力オフセットのサイズを比例又は反比例の関係に断定することができない。データリソースの割り当てサイズによってリンク性能を予測し、データのＢＬＥＲ性能とデータのＢＬＥＲ性能を比較して、制御信号のＢＬＥＲ性能が求められるＢＬＥＲ水準よりも高いＳＮＲを有するようにオフセットサイズを決定する。図１３を参照すると、メッセージのサイズによって(及び／又は再伝送回数によって)ＢＬＥＲが異なる(図１３は１９０ｂｙｔｅ(１０ＲＢ)と３００ｂｙｔｅ(１０ＲＢ)、そして４０ｂｉｔ ＳＡ(１ＲＢ)に対するＢＬＥＲ性能グラフである。ＨＡＲＱ ｃｏｍｂｉｎｉｎｇは２回の伝送のｃｏｍｂｉｎｉｎｇを仮定しており、Ｓｉｎｇｌｅ ｔｒａｎｓｍｉｓｓｉｏｎは単一の伝送に対するＢＬＥＲである)。従って、１９０ｂｙｔｅのメッセージを伝送する場合と３００ｂｙｔｅのメッセージを伝送する場合に、ＳＡとデータのパワーオフセット値が異なるように設定される。
【００８６】
かかるパワーオフセットは、ネットワークにより指示されるか又は端末が決定する。一般的には、制御チャネルのエラー確率がデータのエラー確率より低くないと、信号の送受信が円滑ではない。制御チャネルとデータチャネルのエラー確率は、データチャネルのＲＢサイズ、メッセージサイズ、ＭＣＳ、端末の移動速度、再伝送番号、ターゲットＱｏＳなどにより決定できる。
【００８７】
なお、データ信号と制御信号のオフセット形態で指示されることができるが、制御信号(又はデータ信号)に割り当てるべき電力比率の形態でシグナリングされることもできる。例えば、全体送信電力のうち、Ｘ％を制御信号に割り当てる形態でシグナリングできる。
【００８８】
また、データリソースのサイズによって電力オフセットのサイズを決定するとは、ＲＢごとに割り当てられる電力に対するもの、或いは制御信号とデータ信号の各チャネルに割り当てられたものであることができる。前者は、電力の割り当てが各ＲＢ当たり電力のサイズを意味する時に適用され、後者は、電力の割り当てが各信号の種類に割り当てられる電力のサイズを意味する時に適用される。
【００８９】
データ信号に割り当てられる電力量が、制御信号に印加される電力のサイズを除いて、その他の電力のサイズをデータ信号に使用する場合、自然にデータのリソースのサイズによって電力オフセットのサイズが変更される。例えば、１００の電力があると仮定した時、３０を制御信号に割り当て、７０をデータ信号に割り当てると仮定する。データ信号が１ＲＢであると、データ信号の１ＲＢに７０の電力が印加され、データ信号が７ＲＢであると、各ＲＢ当たり１０の電力が印加される。各ＲＢ当たり(制御信号とデータ信号)の電力オフセットの観点でデータリソースのサイズによってオフセットのサイズが自然に変化する実施例を説明した。
【００９０】
ネットワークは端末にデータチャネルのリソース割り当てを行いながら、リソース割り当てのサイズ(ＲＢサイズ)に連動する電力オフセット値をシグナリングすることができる。パワーオフセット値はＤ２Ｄ制御情報に含まれて伝送される。即ち、ＳＡとデータのパワーオフセット値がＳＡに含まれて伝送されることができる。これは、受信端末が測定データのデコーディングに参考するようにするためである。
【００９１】
又は、端末が電力オフセット値を決定することもできる。この場合、端末が自分の移動速度によって電力オフセット値を決定できる。又は、ＵＥが自ら送信リソースを設定する場合、ＵＥが自らＳＡとデータのパワーオフセット値を決定できる。かかる制御信号とデータ信号の電力オフセット値は明示的に制御信号に含まれて伝送されることができるが、制御信号或いはデータ信号に印加される伝送電力の値が直接制御信号に含まれて伝送されることもできる。具体的には、制御信号の伝送電力と、データ信号の伝送電力、或いは制御信号の伝送電力と制御信号とデータ信号の電力オフセット、或いはデータ信号の伝送電力とデータ信号と制御信号のオフセットの値が制御信号に含まれて伝送されることができる。たとえ制御信号にはＡｄＢｍの電力が印加され、データ信号にはＢｄＢｍの電力が印加されるとき、これらの値が明示的に制御信号に含まれて伝送されることができる。これにより、受信端末は制御信号とデータ信号に印加された電力のサイズ及びオフセット(データ信号と制御信号の間の電力差)のサイズを分かることができ、これにより信号の強さ、ｐａｔｈｌｏｓｓを測定する時に活用することができる。例えば、端末は制御信号のＲＳを測定し、制御信号の伝送電力のサイズを分かる場合、制御信号が到達したｐａｔｈｌｏｓｓを計算できる。また、端末はデータ信号のｐａｔｈｌｏｓｓも計算できる。端末は、制御信号とデータ信号の送信電力に差があること、差のサイズを分かるので、各信号のｐａｔｈｌｏｓｓのうちのいずれか一方のみを測定するか、又は各信号のｐａｔｈｌｏｓｓを測定してこれらを全部活用することにより、より正確なｐａｔｈｌｏｓｓを測定することができる。
【００９２】
なお、ＳＡとデータがＦＤＭされるか否かは、端末の速度、ＳＡとデータのターゲットカバレッジ、ＳＡとデータの再伝送番号、ＢＬＥＲ、ＭＣＳ、メッセージのサイズ／タイプ、ＲＢサイズなどによって異なるように設定される。例えば、端末が相対速度５００ｋｍ／ｈを支援するためには、ターゲットカバレッジも約６００ｍに広がる必要があるが、このカバレッジに到達するためには、１ＲＢ ＳＡの場合、２３ｄＢｍの伝送時に受信ＳＮＲが約１０ｄＢになる。この時、９ＲＢのデータとＳＡをＦＤＭ方式で伝送し、データとＳＡのＰＳＤを同一に設定する場合、ＳＡのＳＮＲが０ｄＢになる。即ち、図１３のＳｉｎｇｌｅ ｔｒａｎｓｍｉｓｓｉｏｎのＢＬＥＲ ｃｕｒｖｅを見ると、約３０％のエラーが発生する。従って、この場合、ＳＡをＴＤＭして伝送することがカバレッジの確保に望ましく、ＳＡの伝送時にデータを受信できないことを防止するために、ＳＡの再伝送が支援されることができる。ＳＡとデータのＴＤＭ有無は、ネットワークがリソースプールごとに指定することができるが、端末が移動速度やメッセージのサイズ、メッセージのタイプによってＳＡとデータのＴＤＭ／ＦＤＭ有無を決定して伝送することもできる。又はネットワークが端末の状況によって使用可能なＳＡ／データの伝送技法、パワーオフセットなどをシグナリングすることもできる。たとえＳＡとデータがＴＤＭされる時の各チャネルごとの電力値、チャネル間の電力オフセット値、或いは全体電力において制御信号に割り当てられる電力値の比率のうち、全体或いは一部が端末にシグナリングされるか、或いは予め決まっていることができる。
【００９３】
Ｄ２Ｄ制御情報とＤ２Ｄデータが周波数軸上で隣接して伝送される時、Ｄ２Ｄ制御情報は周波数軸上で予め設定されている候補リソースのうちの１つを通じて伝送されることができる。即ち、図１０に示したように、ＳＡとデータが隣接して伝送され、周波数軸上でＳＡはＳＡ候補リソースを使用して伝送されることができる。ここで、候補リソースの位置は予め設定されているか或いはネットワークにより構成されることができる。又は後述するように、周波数領域リソースの割り当て情報をＤＭＲＳで指示する方法を使用することができる。候補リソースの位置が予め決まっている場合、制御情報はＲＡサイズ情報のみを有するとよいので、シグナリングのオーバーヘッドを減らすことができる。
【００９４】
この場合、ＳＡの伝送位置によってデータの最大伝送可能なＲＢサイズが変化することができる。即ち、候補リソースの位置は、Ｄ２Ｄデータサイズの最大値を決定することである(ＳＡが伝送されるサブフレームでは、ＳＡの位置によって黙示的(ｉｍｐｌｉｃｉｔ)にデータ伝送のＢＷが指示されると理解できる)。図１１を参照すると、もしＳＡが候補リソース１１０１を使用する場合、データは広帯域伝送が可能であるが、候補リソース１１０２を使用すると、狭帯域の伝送のみが可能である。具体的には、５０ＲＢシステムにおいて、ＳＡが４０番目のＲＢに伝送される場合、データは最大１０ＲＢ未満に伝送するしかない。ＳＡを伝送帯域の低いＲＢインデックスにマッピングする方式は、データの伝送可能サイズを制限する。従って、広帯域の伝送のためには、ＳＡが伝送される位置が伝送帯域の最後のＲＢに配置することができる。この時、データを受信する端末は、 先にＳＡをブラインドデコーディングして、ＳＡの上側にデータが配置されるか、ＳＡの下側にデータが配置されるか(ＳＡの位置より高いＲＢインデックスにデータが位置するか、ＳＡのＲＢインデックスより低いＲＢインデックスにデータが位置するか)をＳＡコンテンツ又はＤＭＲＳシーケンス／ＯＣＣ／ＣＳを設定して指示することができる。例えば、、Ｄ２Ｄ制御情報は、Ｄ２Ｄ制御情報とＤ２Ｄデータのうち、いずれかが高い周波数帯域を使用するかを指示する情報を含む。もし、ＳＡの下側にデータが配置される場合は、ＤＭＲＳ ＣＳとして０を使用し、ＳＡの上側にデータが配置される場合は、ＤＭＲＳ ＣＳとして６を使用する。また、狭帯域の伝送時に伝送可能なＳＡの位置と広帯域の伝送時に伝送可能なＳＡの位置が予め異なるように設定されることができる。
【００９５】
なお、ＳＡがデータを周波数領域で取り囲む形態で配置されることができる。即ち、Ｄ２Ｄ制御情報は２つの分離されたリソース領域を通じて伝送され、Ｄ２Ｄデータは最高の周波数帯域と最低の周波数帯域の各々において２つの分離されたリソース領域に連続することができる。この例示が図１２に示されている。この方式は、データを他のＵＥの信号から保護することにより、ｉｎｂａｎｄ ｅｍｉｓｓｉｏｎにおいて相対的に干渉が少ない。なお、ｉｎｂａｎｄ ｅｍｉｓｓｉｏｎが少ないという観点では、ＳＡをデータが周波数領域において取り囲む形態で配置されることもできる。制御情報は１つのリソース領域を通じて伝送され、データは制御信号を取り囲む形態で伝送される。この方式はさらに制御信号を他の端末から保護するという効果も得られる。
【００９６】
また、２つの分離されたリソース領域に含まれるＤ２Ｄ制御情報は、同一のコードワードからなることができる。ＳＡが周波数領域に配置される時、正確に同じコードワードが周波数領域で繰り返されるように配置してＰＡＰＲの増加を相対的に減少させることができる。この時、全てのサブフレームでＳＡを伝送できるが、上述した方法のように、一部のサブフレームではＳＡが伝送されないことができる。この時、ＳＡが伝送された領域にはレートマッチングされるか或いはパンクチャリング(Ｐｕｎｃｔｕｒｉｎｇ)されることができる。ＳＡが共に伝送されないデータの位置は、後述するように、ＤＭＲＳを通じて指示するか又は先に伝送されたＳＡを通じて指示されることができる。図１２に例示した方法においても、上述したように候補リソースを使用できる。
【００９７】
また、Ｄ２Ｄ制御情報とデータを単一のＤＦＴ拡散(Ｓｐｒｅａｄｉｎｇ)で伝送することができるが、この場合、後述するＤＭＲＳシーケンスでＲＡ情報を指示する方法などと共に使用できる。もし端末が多重送信アンテナを取り付けている場合は、制御情報とデータが別のＤＦＴ拡散を適用しても、互いに異なるアンテナから制御情報とデータを各々送信する場合、マルチクラスターの伝送が不要であるためさらにＰＡＰＲが増加しない。この場合、制御情報がもっと重要であるので、１番目のアンテナポートで制御情報を伝送するように予め規則を定めておくことができる。これは、一般的に端末を具現する時、１番目のアンテナポートにもっと良い性能を有する増幅器(ａｍｐｌｉｆｉｅｒ)を取り付ける可能性が高いためであり、本発明が必ず特定のアンテナポートのみに制限されることではない。ＤＭＲＳシーケンス生成の側面において、また性能の良い増幅器を重要な信号送受信に活用するという点で、受信端末が特定のアンテナポートを仮定してデコーディングできるように予めポート番号を固定することである。
【００９８】
ＳＡとデータが隣接して伝送される方式においても、制御情報が該当サブフレームのデータに対する制御を指示するだけではなく、今後のＮ個のサブフレームに関する制御情報を指示することができる。例えば、Ｔ−ＲＰＴ情報が制御情報に含まれることができるが、これは今後のＮ個のサブフレームに対する伝送位置を指示することである。(ここで、Ｔ−ＲＰＴとは、データ信号が伝送される時間リソースの位置を示す方式であり、必ずビットマップ形態でシグナリングされる必要はない。またデータリソースが伝送される時間リソースの位置をＳＡが送信された時間リソースの位置にオフセット形態で表現することもできる。この時、全てのデータ信号がＳＡが伝送された時間リソースでオフセット形態で表現されることができ、各データ信号が以前のデータに対して順にオフセット形態(１番目のデータはＳＡが伝送される時間リソースからのオフセット)で表現されることもできる)この場合、受信端末は今後のサブフレームにおいていつデータが伝送されるかを予想できるので、デコーディングの成功確率が高くなり、他のＵＥは今後のサブフレームにおいてどの位置でデータが伝送されるかを予想できるので、該当リソースを避けることができるという長所がある。
【００９９】
上記方式において、データとＳＡが常に同一のサブフレームで伝送されることができるが、一部のサブフレームのみでＳＡが伝送されることもできる。この場合、データはＳＡがある場合には該当領域をレートマッチングするかパンクチャリングすることができる。即ち、ＳＡがない場合を仮定して、ＭＣＳを決定できる。又はＳＡがある場合を仮定して、データのＭＣＳを決定できる。もしＳＡが伝送されない場合には、レートマッチングするか或いはさらにコードワードビットを伝送してＳＡが伝送されるＲＥを満たすことができる。又は該当ＲＢを空けてガードとして使用できる。具体的には、例えば、制御情報とデータがｘ、ｘ＋１、…、ｘ＋ｋ ＲＢを占めると仮定した時、ＳＡはｘ、…、ｘ＋ａに割り当て、ｘ＋ａ＋１、…、ｘ＋ｋにデータを割り当てると、データのみが伝送される場合には、ｘ、…、ｘ＋ｋ ＲＢの全てにデータを割り当てるか、或いはｘ＋ａ＋１、…、ｘ＋ｋのみにデータを割り当てることができる。前者の場合、データがｘ、…、ｘ＋ｋに割り当てられると仮定して、ＳＡが伝送された場合にレートマッチング又はパンクチャリングすることであり、後者の場合は、データがｘ＋ａ＋１、…、ｘ＋ｋに割り当てられることを仮定することである。
【０１００】
ＳＡとデータが伝送されるプールが周波数軸上で区分されることができる。ＳＡが指示する制御情報は、ＳＡが伝送されるサブフレームのデータ又はＳＡが伝送されるサブフレームのデータを含んで今後のＮ個のサブフレームに関する制御情報を指示することができる(ここで、Ｎは予め設定されるか又はネットワークによりシグナリングされる値である)。
【０１０１】
図１４にはかかる方式の多様な例が示されている。具体的には、図１４の(ａ)には、ＳＡとデータのプールが周波数軸上で区分され、ＳＡと該ＳＡに関連するデータが同一のサブフレームで伝送される場合を示している。図１４の(ｂ)では、ＳＡが、ＳＡが伝送されるサブフレーム上のデータだけではなく、今後伝送されるサブフレームにおけるデータ位置で指示することを示す。この方式において、Ｔ−ＲＰＴのような情報が含まれて伝送される場合、他のＵＥが該当ＵＥのＴ−ＲＰＴを把握して今後の時間／周波数リソースにおいてリソース選択時に該当リソースを回避して選択することができるという長所がある。図１４の(ｃ)は、毎データ伝送ごとにＳＡを伝送することではなく、新しいＭＡＣ ＰＤＵごとに又は所定のサブフレームの間隔ごとにＳＡを伝送する場合の実施例を示している。
【０１０２】
図１５はさらに他の例を示している。図１４の(ｃ)との差は、全ての時間領域ではなく、一部の時間領域でのみＳＡが伝送されることである。図１５に示したように、ＳＡリソースプールがデータプールと分離されている場合、ＲＳＳＩの測定時にデータプールのＲＳＳＩのみを測定することができ、ＳＡプールにおけるＲＳＳＩのみを測定することもできる。図１５の方式は、毎サブフレームで制御情報が伝送されることではないので、データ伝送の効率を高めることができる。また、この方法では、制御情報が伝送されるサブフレームでは制御情報の伝送ＲＥを考慮してデータ領域がレートマッチング又はパンクチャリングされる。受信ＵＥはＳＡプールのみを最小限にデコーディングすればよいので、毎サブフレームでデコーディングを試みる方式に比べて受信ＵＥのバッテリー消耗を減らすことができる。
【０１０３】
図１４、１５に示したように、１つのＳＡで複数のデータ伝送の制御情報が伝送される場合、１つのＳＡは複数のデータ伝送の制御情報を伝送することができる。もし、かかるデータ伝送が互いに異なるＴＢ(ｔｒａｎｓｐｏｒｔ ｂｌｏｃｋ)に対するものである場合、ＲＢサイズ、ＭＣＳなどが異なることができる。この場合、ＳＡで指示する制御情報の量が多いので、ＳＡのコンテンツが多くなり、リソースの効率性が低下する。このために、ＳＡで複数のデータ伝送の制御情報を送信する時、データは１つのＴＢで伝送されたものと制限されることができる。即ち、同じＴＢに対する再伝送であるので、別のＲＢサイズ、ＭＣＳなどを伝送する必要がなく、ＳＡをより効率的に伝送できる。
【０１０４】
また、ＳＡにおいて、スケジューリングするデータの最大数が制限されることができる。この制限は予め決まっているか或いはネットワークにより設定される。例えば、１つのＳＡは最大２回のデータ伝送をスケジューリングできるという規則を定める。この場合、ＳＡに２回のデータ伝送に対する時間周波数リソースの位置を指示する必要があるが、周波数リソースのサイズ、ＭＣＳなどは同じＴＢに対するものであると仮定すると、１回の指示のみで十分である。時間リソースの位置は、ＳＡ伝送位置においてオフセットの形態で表現でき、Ｔ−ＲＰＴ形態でも表現できる。オフセット形態で表現される場合、オフセット１、オフセット２がＳＡに含まれて伝送される(Ｎ個のデータの場合、Ｎ個のオフセットが含まれることができる)。又はＳＡにおいて、データ１のオフセット、データ１からデータ２の間のオフセット形態で表現できる。この時、ＳＡが複数回伝送される場合、１つのＳＡは常に同数のデータをスケジューリングする場合があり、又は特定ＳＡは他の数のデータをスケジューリングする場合がある。例えば、図１６の(ａ)に示すように、１つのＳＡが常に２つのデータをスケジューリングできる。又は図１６の(ｂ)における最後のＳＡ伝送のように、特定ＳＡは１つのデータのみをスケジューリングすることができる。この場合、ＳＡ内のオフセットのうち、特定の状態(ｓｔａｔｅ)を用いてスケジューリングしないことを指示できる。たとえＳＡに２つのビットを用いてオフセットを表現し、２つのオフセットが含まれると仮定すると、２番目のオフセットの特定のビット状態(００又は１１)は、データがないことを指示するフィールドで設定できる。又は他の方法により、ＳＡにおいていくつかのデータをスケジューリングするかを表現するフィールドを明示的に含むこともできる。この場合、該当フィールドの設定によってオフセットが予め特定値に固定されるか、或いは受信端末はこれを使用(該当オフセットの位置においてデータをデコーディング)しないことと規則を定めることができる。
【０１０５】
特定のデータを複数のＳＡがスケジューリングする場合、もし後行して伝送されるＳＡが先行して伝送されるＳＡと異なる情報を指示する場合、受信端末の動作が定義される必要がある。例えば、互いに異なるＲＡ、ＭＣＳなどを指示する場合には、常に後行(又は先行)するＳＡに基づいてデコーディングするように規則を定めることができる。又は先行するＳＡと後行するＳＡが同じデータ位置で互いに異なる情報を伝送する場合には、ｅｒｒｏｒ ｃａｓｅと思われてデータデコーディングを行わないか又は他の動作を行うことができる。なお、ＳＡが複数回伝送される時、１番目のＳＡと１番目のデータの間のオフセット、２番目のＳＡと２番目のＳＡの間の間隔が同一に設定されることができる。図１６の(ｃ)はこの実施例を示しているが、ＳＡ１におけるオフセット１とＳＡ２におけるオフセット１が同じ値に設定される。この場合、オフセット１の値がＳＡでシグナリングされないことができるが、この値はプールで予め設定されるか或いはネットワークによりシグナリングされた値である。この場合、ＳＡではオフセット２の値のみをシグナリングし、これによりＳＡのフィールドをより効率的に設定できる。
【０１０６】
上述した方法は、ＳＡとデータが同じサブフレームで伝送される場合と異なるサブフレームで伝送される場合に区分できる。この場合、ＳＡとデータが同じサブフレームで、ＳＡにおいて該当ＳＡと連関したデータが同じサブフレームで伝送されるか、次のＳＡ周期で伝送されるか、ＳＡ伝送後、何回目のサブフレームで伝送されるかを指示するフィールドがＳＡに含まれて伝送されることができる。ＳＡにおいてデータの開始伝送時点を指示できるが、これはデータが伝送される位置を指示するか又はＴ−ＲＰＴビットマップが始まる時点を指示することである。
【０１０７】
図１７はＳＡとデータが同じサブフレームで伝送される時、データの周波数領域リソースの位置を指示する方法のうち、オフセットが使用されることを説明する図である。具体的には、ＳＡとデータリソース領域の間に時間オフセットが予め設定されるか又はネットワークにより物理階層又は上位階層の領域信号で指示されることができる。このようにリソース領域の間にオフセットが指示される場合、図１７の(ｂ)のように、他のサブフレームで伝送されるデータの位置を指示し、データの周波数リソース領域はＳＡの周波数リソース領域の位置により指示される。また、かかるＳＡリソースとデータリソースのオフセットはＵＥに共通の値であることができるが、ＵＥのｐｒｉｏｒｉｔｙやメッセージのサイズによって特定ＵＥのみにオフセットが付与されることができる。例えば、ｅｖｅｎｔ ｔｒｉｇｇｅｒｅｄメッセージのように、広帯域のデータ伝送を行う場合は、ＳＡとデータが同じサブフレームで伝送される時、ＳＡのカバレッジが不足してデータ受信に問題が発生することができるので、ＳＡとデータの間にオフセットを付与してＳＡとデータを時間領域で分離して伝送する。このように特定ＵＥのみに時間領域オフセットが付与される場合、ＳＡに(ＳＡとデータ伝送の間に)時間領域オフセットを適用するか否か及び／又は時間領域オフセットのサイズを指示するフィールドが含まれて伝送されることができる。またこの情報はＳＡのＤＭＲＳを異なるように設定して受信端末に指示することもできる。提案した方法では、ＳＡの時間／周波数リソース位置にデータのリソース位置を指示して、ＳＡでデータのリソース割り当て情報ビット数を減らすことができるという長所がある。 
【０１０８】
また、ＳＡとデータの間のオフセットが予め設定されるか又はネットワークにより決定されると、１番目のＳＡとデータの間のオフセットは２番目のＳＡとデータの間のオフセットが固定された形態でなければならない。即ち、２番目のＳＡにおいて１番目のオフセット値は常に１番目のＳＡのオフセット値と同一に設定されることができる。これは、まずデータリソースが選択され、その後ＳＡリソースが選択される時、複数のデータリソースを選択した時、複数のＳＡリソースの位置を１番目のＳＡリソースとデータリソースのオフセットと同一に決定する形態に規則を定めることができる。これにより、データリソースの位置を選択し、その後ＳＡのリソースの位置を選択する時、複数回伝送されるＳＡリソースの位置を端末が簡単に具現できる。また、ＳＡリソースの位置を同じオフセットで設定できる場合、極端的にＳＡとデータの間のオフセット値は別にシグナリングされないこともできる。
【０１０９】
なお、ＳＡとデータが同じサブフレームで伝送される場合、再伝送方法としては以下の方法を使用できる。
【０１１０】
第一に、ＳＡは所定のホッピングパターンによってＳＡ周期内の特定ＳＡリソースを選択して伝送され、データはこのＳＡのようなサブフレームで伝送する場合、再伝送時のデータのリソース位置(ｌｏｇｉｃａｌ ｉｎｄｅｘ)、ＭＣＳなどが同一に設定されると、ＨＡＲＱ ｃｏｍｂｉｎｉｎｇ ｇａｉｎを得ることができる。データも１番目のＳＡで指示した周波数位置と同じ位置で再伝送されるので、データもＨＡＲＱ ｃｏｍｂｉｎｉｎｇ ｇａｉｎを得ることができる。現在、ＳＡはＳＡ周期内で２回の伝送を許容しているが、ＳＡの再伝送を３、４回に増えた場合、この再伝送のためのホッピングパターンが予め決まっており、データはＳＡと同じサブフレームで伝送されることができる。
【０１１１】
第二に、毎ＳＡで次の再伝送が行われるサブフレームインデックス又はオフセットが含まれて伝送される。この時、単に直後の再伝送のサブフレームだけではなく、以後Ｎ回の再伝送までのサブフレーム位置を含んで伝送できる。この方法では、毎ＳＡ伝送ごとにＳＡのコンテンツが変わることができるので、ＳＡのＨＡＲＱ ｃｏｍｂｉｎｉｎｇは強要(ｍａｎｄａｔｅ)されない。しかしデータの場合には再伝送であるので、データのＨＡＲＱ ｃｏｍｂｉｎｉｎｇは許容される。 
【０１１２】
また、周波数ドメインＲＡ(ｒｅｓｏｕｒｃｅ ａｌｌｏｃａｔｉｏｎ)、ＭＣＳ、ＮＤＩなどの情報は、ＤＭＲＳのＲＳシーケンスなどを使用して指示できる。具体的には、周波数領域リソースの割り当て情報(ＲＡ)を指示するために、ＤＭＲＳシーケンスをＲＡによって異なるように設定できる。このために、ＲＡサイズごとに開始点の候補が予め決まっており、ＲＡサイズによって異なるＤＭＲＳシーケンスを設定し、受信端末はこれをブラインドデコーディングしてＲＡを把握することができる。この方法はＲＡのみに制限されず、ＭＣＳやＮＤＩによってＲＳシーケンスを異なるように設定することと拡張して適用できる。各ＲＡサイズごとにＲＳブラインドの検出回数が制限されており、受信端末は予め決まっているＲＡサイズごとに開始点からＤＭＲＳをブラインド検出できる。各ＲＡごとにブラインド検出を行った後、最高のｃｏｒｒｅｌａｔｉｏｎ値が示すＤＭＲＳシーケンスについてデータデコーディングを行う。
【０１１３】
図１８は周波数領域においてＲＡ開始点に対するブラインドデコーディングの候補位置を示す。ＲＢサイズごとに所定の開始点が予め設定されるか又はネットワークにより構成される。この時、ＲＡ以外の制御情報は、ＵＣＩピギーバック(ｐｉｇｇｙｂａｃｋ)方式や上位階層信号に含まれて伝送される方式でデータが伝送されるサブフレームで一緒に伝送されることができる。この時、ＲＡ情報を含むことができるが、これはＲＡが正確に検出されたか否かを確認するためのものである。又はＲＡ情報を含まないこともできるが、これはＲＡ検出に失敗した場合にデータデコーディングにも失敗して、ＣＲＣ ｃｈｅｃｋ時に失敗したことが示されるためである。ＲＡが含まれる場合、これは黙示的にＣＲＣ長さが長くなったことと把握できる。
【０１１４】
ＳＡとＤ２Ｄデータの伝送が時間軸上で区分される方式
【０１１５】
１つのＤ２Ｄリソースプールの周期内において毎Ｎ番目のＤ２Ｄサブフレームでは、今後のサブフレーム(Ｄ２Ｄ制御情報が伝送されるサブフレームを含むことができる)に関する制御情報のうちの全部又は一部を伝送できる。例えば、図１９の(ａ)を参照すると、Ｎ番目のサブフレームごとにＴ−ＲＰＴを指示する情報を含むパケットを伝送できる。ここで、Ｎは予め設定されるか又はネットワークにより設定される値である。図１９の(ａ)では、Ｔ−ＲＰＴが以後のＮ−１個のサブフレームに対する伝送位置を指示するが、他の形態でＴ−ＲＰＴが以後のＮ個のサブフレームに対する伝送位置を指示し、Ｔ−ＲＰＴで最後１の位置は次の制御情報(Ｔ−ＲＰＴ)が伝送されることを予め決まることもできる。 
【０１１６】
図１９の(ｂ)に示したように、Ｎ番目のサブフレームごとにＴ−ＲＰＴが複数のサブフレームで伝送される。これは、ｈａｌｆ ｄｕｐｌｅｘを解決するための又はｅｎｅｒｇｙ ｇａｉｎを得るためのものである。即ち、Ｔ−ＲＰＴにおいて初期Ｎ１個の１ではＤ２Ｄ制御情報が伝送されるように設定できる。この時、Ｎ１は予め設定されるか又はネットワークにより構成される値である。かかる複数のサブフレームは時間領域で連続して伝送できるが、時間的に離れたサブフレームで伝送されることもできる。この時、Ｄ２Ｄ制御情報を伝送するために伝送されるパケットは別のフォーマット(例えば、別にＤ２Ｄ制御情報を伝送するためのフォーマット、例えば、ＰＳＣＣＨ又は新しい形式のＰＳＣＣＨ)であることができ、ＵＣＩピギーバックと類似に一部のＲＥにＴ−ＲＰＴ情報を含んで伝送することもできる。ここで、ＵＣＩピギーバック方式とは、図２０の(ａ)に示すように、ＤＭＲＳ周辺に一部ＲＥをＨＡＲＱ ＡＣＫやＲＩを伝送するために使用するか、又は図２０の(ｂ)に示すように、ｌｏｗｅｓｔ ＲＢの低いサブキャリアから一部のＲＥを最初(ｔｉｍｅ ｆｉｒｓｔ)マッピングを用いて制御信号を伝送する方法を意味する。Ｄ２Ｄでは２つの方式(ＣＱＩピギーバック方式のようにｌｏｗｅｓｔ ＲＢでＲＥを使用、ＰＭＩ／ＲＩ／ＡＣＫのようにＤＭＲＳ周辺のＲＥを使用)のうち、１つの方式を使用してＤ２Ｄデータ制御情報の全体又は一部を指示できる。
【０１１７】
Ｔ−ＲＰＴを伝送するサブフレームでは、Ｔ−ＲＰＴだけではなく、次のサブフレームで伝送されるパケットのＭＣＳ、ｒｅｄｕｎｄａｎｃｙ ｖｅｒｓｉｏｎ(ＲＶ)、伝送パワー、ＭＡＣ ＰＤＵ当たりの伝送回数、ＲＶ ｃｙｃｌｉｎｇ タイプ(ＲＶが固定されて伝送されるか、ＲＶが可変しながら伝送されるかを指示する情報)などを指示する情報が伝送されることができる。Ｔ−ＲＰＴを指示する情報には、今後Ｎ−１のサブフレームにおける伝送位置がビットマップ形態で表現されて指示されることができる。
【０１１８】
全てのＵＥが同じサブフレーム位置でＳＡを伝送する場合、ｈａｌｆ ｄｕｐｌｅｘ ｃｏｎｓｔｒａｉｎｔにより同じサブフレームに制御情報を送信した端末は他の端末の制御信号を認知できず、今後のデータを受信できない問題が発生し得る。従って、図１９の(ａ)において、Ｎ１個のサブフレームに伝送される制御情報は、各Ｎ個のサブフレーム周期ごとに伝送するサブフレームの位置が可変するｈａｌｆ ｄｕｐｌｅｘ ｃｏｎｓｔｒａｉｎｔを解決できるホッピング方式が適用されることが好ましい。又は図２１の(ａ)に示すように、ＵＥごとに制御情報が伝送されるサブフレームのオフセットを異なるように印加する方法を考えられる。この時、Ｎ ＳＦで制御情報が伝送されるサブフレームのオフセットは、Ｎサブフレームごとに異なるように設定できる。例えば、Ｔｘ ＵＥ ＩＤ又はＲｘ ＵＥ ＩＤ又はＵＥ ｇｒｏｕｐ ＩＤ又はネットワークによって設定されたパラメータにより、ＵＥごとに異なるオフセットを設定でき、オフセットはＮ(予め設定された、或いは端末がメッセージを伝送する周期)のサブフレーム周期ごとに可変する。図２１の(ｂ)に示すように、ＵＥごとに互いに異なるオフセットのホッピングパターンでＳＡが同じサブフレームで伝送されることを防止できる。
【０１１９】
なお、制御情報が伝送されるサブフレーム周期はＭＡＣ ＰＤＵ単位で設定できる。即ち、新しいＭＡＣ ＰＤＵが伝送される度にＤ２Ｄ制御情報が新しく伝送されることができ、該当Ｄ２Ｄ制御情報には以後のサブフレームでＤ２Ｄデータが伝送されるサブフレームの位置(Ｔ−ＲＰＴ)、ＭＣＳなどが指示される。
【０１２０】
一方、一部の制御情報はＳＡを通じて伝送され、ＳＡ周期内で伝送パラメータを変更しようとする場合、制御情報をデータ伝送中に伝送することもできる。具体的には、ＳＡリストプールが定義され、該当領域で基本的な制御情報が伝送される途中にパケット伝送パラメータを変更する場合、該当制御情報がパケットとともに、又はパケット伝送の以前にサブフレームに伝送される。一例として、ＲＶ、ｔｒａｎｓｍｉｔパワー、ＭＣＳが変更されることができ、上述したＵＣＩピギーバック方式やＭＡＣヘッダー領域に制御情報が含まれて伝送されることができる。ＳＡ周期内で伝送されるリソースの位置が変更することもできる。この場合、今後のＴ個のサブフレームに対するＴ−ＲＰＴが伝送されるが、ＵＣＩピギーバック方式又はＭＡＣヘッダー或いはＭＡＣ制御信号に含まれて伝送される。
【０１２１】
なお、Ｄ２Ｄ制御情報が今後示されるＸ個のサブフレームに対する内容を指示できる(ｓｌｉｄｉｎｇ ｗｉｎｄｏｗ 方式)。この方法では、毎サブフレームごとにＤ２Ｄ制御情報がデータと共に伝送される。この場合、受信端末がどのサブフレームを受信開始しても、以後のＸ個の制御情報が共に伝送されてデコーディングが可能であり、送信端末が中間に伝送パラメータを変更してもそれを直ちに適用できるという長所がある。
【０１２２】
具体的には、制御情報は特のチャネルコーディングを適用してデータ領域とともに伝送されるか、又は上位階層信号でデータとともに伝送される。一例として、ＭＡＣヘッダーやＭＡＣ制御領域に制御情報が伝送される。又はＰＵＳＣＨ又はＰＵＣＣＨのように、別のＲＢ又はｇｒｏｕｐ ｏｆ ＲＥｓに別のチャネルコーディング又は別のチャネル構造(ＰＵＣＣＨ)の形態で制御情報が伝送されることができる。この場合、まるでマルチクラスター伝送のように、制御情報とデータが別のＤＦＴスプレディング(Ｓｐｒｅａｄｉｎｇ拡散)を適用すると仮定できる。図２２にはこのようなｓｌｉｄｉｎｇ ｗｉｎｄｏｗ方式の例を示されている。図２２を参照すると、Ｔ−ＲＰＴが今後のＮ個のサブフレームごとに可変する。ここで、ＭＣＳ、ＲＶなどが異なるように設定されることもできる。制御情報は今後のＸ個のサブフレームに関する制御情報であるが、制御情報が伝送されるサブフレームのデータに対する制御を含むこともできる。即ち、制御情報が指示することは、制御情報が伝送されるサブフレームのデータを含んで、今後Ｘ個のサブフレームに対するものであることもできる。
【０１２３】
図２３には１つのサブフレーム以内でＳＡとデータのリソースプールがＴＤＭされる方式が例示されている。この時、ＳＡの周波数領域の開始点がデータの周波数領域の開始点を指示でき、ＳＡの位置によりデータの開始点が黙示的に指示されることもできる。この方式により、同じサブフレームに他の端末が異なるデータ位置を選択した時、ＳＡが互いに衝突することを予防できる。又はＳＡ伝送はデータが伝送される周波数位置のうち、所定の位置であることができる。例えば、データが伝送される位置のうち、両端のａ個のＲＢ以外の位置でＳＡが伝送され、これは伝送されるＳＡの間におけるｉｎｂａｎｄ ｅｍｉｓｓｉｏｎを通じた干渉を減らすためのものである。この方法は、ＳＡとデータが同じサブフレーム内でＦＤＭされて伝送される場合にも適用できる。
【０１２４】
又はＳＡにおいてデータのＲＡ情報を全て指示することもできる。この方式では、ＳＡとデータが伝送される周波数領域が重複しないことができる。ＳＡにおいてＳＡが伝送されるサブフレームだけではなく、今後のサブフレームに対するデータに関する制御情報が伝送される。この場合、今後のサブフレームにおいてＳＡ無しにデータのみが伝送され、今後のＸ個のサブフレームに関するＤ２Ｄ制御情報が毎サブフレームで指示されることもできる。図２３の(ｂ)はかかる場合に対する例示である。図２３の(ｃ)はＤ２Ｄ制御情報が伝送されないサブフレームではＳＡ伝送領域にデータが伝送される場合を例示している。送信端末はＳＡが送信されないと仮定してエンコーディングを行う。ＳＡが伝送されるサブフレームでは、ＳＡが伝送されるシンボルのＲＥはレートマッチングされるか又はパンクチャリングされる。しかし、ＳＡが伝送されないサブフレームにおいて他のＵＥのＳＡ伝送を保護するために、常にＳＡが伝送される領域はレートマッチングされるか又はパンクチャリングされる。
【０１２５】
ＳＡの伝送位置はサブフレームの最初のシンボルではなく、ＤＭＲＳ周辺のシンボルである。ＳＡのデコーディング性能を高めるために、さらにＲＳが伝送されることができる。このさらなるＲＳの位置は、既存のＤＭＲＳ以外の他のシンボルに伝送されることができ、その位置は予め設定できる。ＳＡとデータが１つのサブフレームで伝送される場合、伝送電力は同一に維持される。この時、ＳＡのＲＢサイズは所定のサイズであるが、ＳＡの周波数領域においてＲＢサイズとデータのＲＢサイズが異なる場合、ＳＡとデータのＰＳＤ(ｐｏｗｅｒ ｓｐｅｃｔｒａｌ ｄｅｎｓｉｔｙ)が異なることができる。
【０１２６】
その他の方法
【０１２７】
Ｄ２Ｄ制御情報が伝送される方式の他の一例として、制御情報がデータと時間領域で区分された方式で伝送されることができる。図２４の(ａ)にこれに関する実施例が示されている。図２４のような方式は、データと制御情報が時間領域で区分されて制御情報をデコーディングした後、データをデコーディングする。また、マルチクラスタ伝送のようなＰＡＰＲの増加がないという長所がある。制御情報がデコーディングにもっと重要であるので、制御情報はＤＭＲＳ周辺の所定のシンボルで伝送できる。しかし、ＲＡサイズによって制御情報の伝送領域が可変するので、データの効率が落ちるという短所がある。これを補完するために、制御情報が伝送される周波数領域のサイズを固定し、その他のＲＥはデータをマッピングして伝送することができる。図２４の(ｂ)はこれに関する例示を示している。１つのサブフレーム内において、ＳＡとデータがＴＤＭされる場合、ＳＡとデータが異なる伝送電力を有する。この時、出力過度変動(ｐｏｗｅｒ ｔｒａｎｓｉｅｎｔ)の周期はデータ領域に配置されることができる。
【０１２８】
上記提案方式に対する一例も本発明の具現方法の１つとして含まれることができるので、一種の提案方式として見なすことができる。また、上記説明した提案方式は独立して具現できるが、一部の提案方式の組み合わせ(又は併合)形態で具現することもできる。提案方法の適用有無に関する情報(又は提案方法の規則に対する情報)は、基地局が端末に予め定義されたシグナル(例えば、物理階層シグナル又は上位階層シグナル)を通じて知らせるように規則を定めることができる。
【０１２９】
ＰＳＣＣＨ及びこれにより指示されるＰＳＳＣＨの受信方法
【０１３０】
以下、本発明の一実施例によるＰＳＣＣＨ及びこれにより指示される(これに相応する)ＰＳＳＣＨの受信方法について説明する。ここで、ＰＳＣＣＨは上記でＳＡと称した制御情報、ＰＳＳＣＨはＰＳＳＣＨに相応するものである。特に、以下の説明はＰＳＣＣＨとＰＳＳＣＨがＦＤＭ(Ｆｒｅｑｕｅｎｃｙ Ｄｉｖｉｓｉｏｎ Ｍｕｌｔｉｐｌｅｘｉｎｇ)されて伝送される場合(例えば、Ｖ２Ｘなど)のためのものである。
【０１３１】
本発明の一実施例による端末は、ＰＳＣＣＨと該ＰＳＣＣＨにより指示されるＰＳＳＣＨとの間の時間間隔を示す情報及びＰＳＳＣＨが再伝送であるか否かを指示する情報(ＰＳＣＣＨが最初伝送に対するものであるか再伝送に対するものであるかを指示するフィールド)を含むＰＳＣＣＨを受信できる。これらの情報はＳＣＩフォーマットで定義される制御情報に該当する。このような制御情報を受信した端末は、時間間隔を示す情報及びＰＳＳＣＨが再伝送であるか否かを指示する情報を使用して決定されたリソースにおいてＰＳＳＣＨを受信する。ここで、ＰＳＳＣＨが再伝送であるか否かによって、時間間隔を示す情報がリソースの決定時に正の値で使用されるか又は負の値で使用されるかが決定される。より具体的には、ＰＳＳＣＨが再伝送である場合、リソースはＰＳＣＣＨが受信されたサブフレームから時間間隔を示す情報ほど先立つサブフレームに位置する。即ち、ＰＳＳＣＨが再伝送である場合、時間間隔を示す情報が負の値で使用される。一方、ＰＳＳＣＨが再伝送の最初伝送である場合は、リソースはＰＳＣＣＨが受信されたサブフレームから時間間隔を示す情報ほど後れたサブフレームに位置する。即ち、ＰＳＳＣＨが再伝送ではなく、最初伝送である場合には、時間間隔を示す情報が正の値で使用される。言い換えれば、ＰＳＣＣＨが最初伝送に対するものであるか又は再伝送に対するものであるかを指示するフィールドがＰＳＣＣＨに含まれて伝送されることができるが、このフィールドがＰＳＣＣＨが最初伝送であることを指示／意味する場合、オフセットはＰＳＣＣＨ伝送サブフレームを基準としてその後のＰＳＳＣＨの伝送を指示することであり、このＰＳＣＣＨが再伝送に対するものであれば、オフセットは過去にサブフレームで伝送されたＰＳＳＣＨを指示することである。
【０１３２】
上記のように構成することにより、端末が(特に、最初伝送に相応する)ＰＳＣＣＨを逃しても最初伝送と再伝送されるＰＳＳＣＨを全部把握することができる。従って、ＰＳＣＣＨを安定して伝達するために必要な高いレベルのＭＣＳや比較的に大きい伝送電力を使用しないので効率的である。
【０１３３】
上記説明に続いて、又は上述した説明とは独立して、以下のような測定を使用できる。
【０１３４】
もし、ＰＳＣＣＨとＰＳＳＣＨがＦＤＭされ、ＰＳＳＣＨは再伝送に該当する場合、端末はＰＳＳＣＨに対する測定結果を再伝送の最初伝送の測定結果として推定できる。ここで、測定結果はＰＳＳＣＨに対する参照信号の伝送電力である。又は、参照信号はＰＳＣＣＨのＤＭＲＳ(ＤｅＭｏｄｕｌａｔｉｏｎ Ｒｅｆｅｒｅｎｃｅ Ｓｉｇｎａｌ)に該当するものであることができる。即ち、端末が２回のＰＳＣＣＨ伝送において、先回の１つのＰＳＣＣＨ受信に失敗し、２番目のＰＳＣＣＨ受信に成功した場合(又は失敗後にリソースの再選択(ｒｅｓｅｌｅｃｔｉｏｎ)トリガされ、その直後に伝送されると、そこでは測定結果をそのまま使用する)、今後のＰＳＣＣＨが指示するデータリソースのＲＳ電力又はエネルギーを測定して、先に伝送されたＰＳＳＣＨ位置のＲＳ電力又はエネルギーを推定することができる。
【０１３５】
このように構成する場合、端末は２回のＰＳＣＣＨ受信のうち、１回でもデコーディングに成功すると、１つのＰＳＣＣＨが指示するＰＳＳＣＨの受信電力で他のＰＳＳＣＨ伝送における電力を推定できる。もし２回のＰＳＣＣＨ伝送を全部成功的にデコーディングすると、各ＰＳＳＣＨリソースにおけるＲＳ受信電力やエネルギーは別に測定されることができる。
【０１３６】
上記の説明は図２５の(ａ)〜(ｃ)又は図２６に示したように、１つのＰＳＣＣＨが最大２つのデータをスケジューリングする時に適用できる。
【０１３７】
上述した説明は端末間の直接通信に制限されず、上りリンク又は下りリンクにも使用可能であり、この時基地局やｒｅｌａｙ ｎｏｄｅなどが上記に提案した方法を使用できる。
【０１３８】
前記説明した提案方式についての一例もまた、本発明の具現方法の一つとして含まれ得ることから、一種の提案方式と見なしてもよいことは明らかである。また、前記説明した提案方式は、独立して具現されてもよいが、一部の提案方式の組み合わせ（又は、併合）の形態で具現されてもよい。前記提案方法を適用するか否かに関する情報（又は、前記提案方法の規則に関する情報）は、基地局が端末に事前に定義されたシグナル（例えば、物理層シグナル又は上位層シグナル）を介して知らせるか、或いは送信端末が受信端末にシグナリングするように又は受信端末が送信端末に要請するように規則が定義されてもよい。
【０１３９】
本発明の実施例による装置構成
【０１４０】
図２７は、本発明の実施形態に係る伝送ポイント装置及び端末装置の構成を示す図である。
【０１４１】
図２７を参照すると、本発明に係る伝送ポイント装置１０は、受信装置１１、伝送装置１２、プロセッサ１３、メモリ１４及び複数のアンテナ１５を含む。複数のアンテナ１５は、ＭＩＭＯ送受信をサポートする伝送ポイント装置を意味する。受信装置１１は、端末からの上りリンク上の各種信号、データ及び情報を受信することができる。伝送装置１２は、端末への下りリンク上の各種信号、データ及び情報を送信することができる。プロセッサ１３は、伝送ポイント装置１０全般の動作を制御することができる。本発明の一実施例に係る伝送ポイント装置１０のプロセッサ１３は、上述した各実施例において必要な事項を処理することができる。 
【０１４２】
伝送ポイント装置１０のプロセッサ１３は、その他にも、伝送ポイント装置１０が受信した情報、外部に送信する情報などを演算処理する機能を行い、メモリ１４は、演算処理された情報などを所定時間格納することができ、バッファ（図示せず）などの構成要素に置き換えてもよい。 
【０１４３】
次いで、図２７を参照すると、本発明に係る端末装置２０は、受信装置２１、伝送装置２２、プロセッサ２３、メモリ２４及び複数のアンテナ２５を含む。複数のアンテナ２５は、ＭＩＭＯ送受信をサポートする端末装置を意味する。受信装置２１は、基地局からの下りリンク上の各種信号、データ及び情報を受信することができる。伝送装置２２は、基地局への上りリンク上の各種信号、データ及び情報を送信することができる。プロセッサ２３は、端末装置２０全般の動作を制御することができる。
【０１４４】
本発明の一実施例に係る端末装置２０のプロセッサ２３は、上述した各実施例において必要な事項を処理することができる。
【０１４５】
端末装置２０のプロセッサ２３は、その他にも、端末装置２０が受信した情報、外部に送信する情報などを演算処理する機能を行い、メモリ２４は、演算処理された情報などを所定時間格納することができ、バッファ（図示せず）などの構成要素に置き換えてもよい。
【０１４６】
以上のような伝送ポイント装置及び端末装置の具体的な構成は、前述した本発明の様々な実施例で説明した事項が独立して適用されたり、又は２つ以上の実施例が同時に適用されるように具現することができ、重複する内容は明確性のために説明を省略する。
【０１４７】
また、図２７に対する説明において、伝送ポイント装置１０についての説明は、下りリンク送信主体又は上りリンク受信主体としての中継機装置に対しても同一に適用することができ、端末装置２０についての説明は、下りリンク受信主体又は上りリンク送信主体としての中継機装置に対しても同一に適用することができる。
【０１４８】
上述した本発明の実施例は多様な手段によって具現されることができる。例えば、本発明の実施例は、ハードウェア、ファームウエア(ｆｉｒｍｗａｒｅ)、ソフトウェア又はそれらの組合せなどによって具現できる。
【０１４９】
ハードウェアによる具現の場合、本発明の実施例による方法は、一つ又はそれ以上のＡＳＩＣｓ(Ａｐｐｌｉｃａｔｉｏｎ Ｓｐｅｃｉｆｉｃ Ｉｎｔｅｇｒａｔｅｄ Ｃｉｒｃｕｉｔｓ)、ＤＳＰｓ(Ｄｉｇｉｔａｌ Ｓｉｇｎａｌ Ｐｒｏｃｅｓｓｏｒｓ)、ＤＳＰＤｓ(Ｄｉｇｉｔａｌ Ｓｉｇｎａｌ Ｐｒｏｃｅｓｓｉｎｇ Ｄｅｖｉｃｅｓ)、ＰＬＤｓ(Ｐｒｏｇｒａｍｍａｂｌｅ Ｌｏｇｉｃ Ｄｅｖｉｃｅｓ)、ＦＰＧＡｓ(Ｆｉｅｌｄ Ｐｒｏｇｒａｍｍａｂｌｅ Ｇａｔｅ Ａｒｒａｙｓ)、プロセッサ、コントローラー、マイクロコントローラー、マイクロプロセッサなどによって具現できる。
【０１５０】
ファームウエア又はソフトウェアによる具現の場合、本発明の実施例による方法は以上で説明した機能又は動作を行う装置、過程又は関数などの形態に具現できる。ソフトウェアコードはメモリユニットに記憶され、プロセッサによって駆動されることができる。メモリユニットはプロセッサの内部又は外部に位置し、既に知られた多様な手段によってプロセッサとデータを取り交わすことができる。
【０１５１】
以上のように開示された本発明の好適な実施形態についての詳細な説明は当業者が本発明を具現して実施することができるように提供した。以上では本発明の好適な実施形態に基づいて説明したが、当該技術分野の熟練した当業者は下記の特許請求範囲に記載された本発明の思想及び領域から逸脱しない範疇内で本発明を多様に修正及び変更することができることを理解することが可能であろう。例えば、当業者は上述した実施例に記載された各構成を互いに組み合わせる方式で用いることができる。よって、本発明はここで開示した実施形態に制限されるものではなく、ここで開示した原理及び新規の特徴と一致する最広の範囲を付与しようとするものである。
【０１５２】
本発明は、本発明の精神及び必須の特徴から逸脱しない範囲で、他の特定の形態に具体化することができる。そのため、上記の詳細な説明はいずれの面においても制限的に解釈してはならず、例示的なものとして考慮しなければならない。本発明の範囲は、添付した請求項の合理的解釈によって定められなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を付与するためのものである。また、特許請求の範囲で明示的な引用関係を有しない請求項を結合して実施例を構成してもよく、出願後の補正によって新しい請求項として含めてもよい。
【産業上の利用可能性】
【０１５３】
以上の本発明による実施形態は多様な移動通信システムに適用できる。
【図１】
2019525680.tif 000008
【図２】
2019525680.tif 000009
【図３】
2019525680.tif 000010
【図４】
2019525680.tif 000011
【図５】
2019525680.tif 000012
【図６】
2019525680.tif 000013
【図７】
2019525680.tif 000014
【図８】
2019525680.tif 000015
【図９】
2019525680.tif 000016
【図１０】
2019525680.tif 000017
【図１１】
2019525680.tif 000018
【図１２】
2019525680.tif 000019
【図１３】
2019525680.tif 000020
【図１４】
2019525680.tif 000021
【図１５】
2019525680.tif 000022
【図１６】
2019525680.tif 000023
【図１７】
2019525680.tif 000024
【図１８】
2019525680.tif 000025
【図１９】
2019525680.tif 000026
【図２０】
2019525680.tif 000027
【図２１】
2019525680.tif 000028
【図２２】
2019525680.tif 000029
【図２３】
2019525680.tif 000030
【図２４】
2019525680.tif 000031
【図２５】
2019525680.tif 000032
【図２６】
2019525680.tif 000033
【図２７】
2019525680.tif 000034
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
無線通信システムにおいて、端末がＰＳＣＣＨ(Ｐｈｙｓｉｃａｌ ｓｉｄｅｌｉｎｋ ｃｏｎｔｒｏｌ ｃｈａｎｎｅｌ)及びＰＳＳＣＨ(Ｐｈｙｓｉｃａｌ ｓｉｄｅｌｉｎｋ ｓｈａｒｅｄ ｃｈａｎｎｅｌ)を受信する方法であって、
ＰＳＳＣＨの最初伝送とＰＳＳＣＨの再伝送との間の時間間隔を示す第１情報及び前記ＰＳＳＣＨが前記最初伝送であるか前記再伝送であるかを示す第２情報を含むＰＳＣＣＨを受信する段階；及び
前記第１情報及び前記第２情報に基づいて決定されたリソースにおいて前記ＰＳＳＣＨを受信する段階を含み、
前記第２情報が前記最初伝送を示す場合、前記第１情報は正の値で使用され、
前記第２情報が前記再伝送を示す場合、前記第１情報は負の値で使用される、ＰＳＣＣＨ及びＰＳＳＣＨの受信方法。
【請求項２】
前記ＰＳＳＣＨが再伝送である場合、最初伝送のためのリソースは、ｎ−ｋ番目のサブフレームに含まれ、
前記ＰＳＣＣＨは、ｎ番目のサブフレームにおいて受信され、
ｋは、前記時間間隔である、請求項１に記載のＰＳＣＣＨ及びＰＳＳＣＨの受信方法。
【請求項３】
前記ＰＳＳＣＨが再伝送の最初伝送である場合、前記リソースは、ｎ＋ｋ番目のサブフレームに含まれ、
前記ＰＳＣＣＨは、ｎ番目のサブフレームにおいて受信され、
ｋは、前記時間間隔である、請求項１に記載のＰＳＣＣＨ及びＰＳＳＣＨの受信方法。
【請求項４】
前記ＰＳＣＣＨとＰＳＳＣＨがＦＤＭ(Ｆｒｅｑｕｅｎｃｙ Ｄｉｖｉｓｉｏｎ Ｍｕｌｔｉｐｌｅｘｉｎｇ)されたものであり、前記ＰＳＳＣＨが再伝送に該当する場合、前記端末は前記ＰＳＳＣＨに対する測定結果を前記再伝送の最初伝送の測定結果として推定する、請求項１に記載のＰＳＣＣＨ及びＰＳＳＣＨの受信方法。
【請求項５】
前記測定結果は前記ＰＳＳＣＨに対する参照信号の伝送電力である、請求項１に記載のＰＳＣＣＨ及びＰＳＳＣＨの受信方法。
【請求項６】
前記参照信号は前記ＰＳＣＣＨのＤＭＲＳ(ＤｅＭｏｄｕｌａｔｉｏｎ Ｒｅｆｅｒｅｎｃｅ Ｓｉｇｎａｌ)に該当するものである、請求項５に記載のＰＳＣＣＨ及びＰＳＳＣＨの受信方法。
【請求項７】
無線通信システムにおいて、ＰＳＣＣＨ(Ｐｈｙｓｉｃａｌ ｓｉｄｅｌｉｎｋ ｃｏｎｔｒｏｌ ｃｈａｎｎｅｌ)及びＰＳＳＣＨ(Ｐｈｙｓｉｃａｌ ｓｉｄｅｌｉｎｋ ｓｈａｒｅｄ ｃｈａｎｎｅｌ)を受信する端末装置であって、
送信装置と受信装置；及び
プロセッサを含み、
前記プロセッサは、ＰＳＳＣＨの最初伝送とＰＳＳＣＨの再伝送との間の時間間隔を示す第１情報及び前記ＰＳＳＣＨが前記最初伝送であるか前記再伝送であるか否かを示す第２情報を含むＰＳＣＣＨを受信し、前記第１情報及び前記第２情報に基づいて決定されたリソースにおいて前記ＰＳＳＣＨを前記受信装置で受信し、
前記第２情報が前記最初伝送を示す場合、前記第１情報は正の値で使用され、
前記第２情報が前記再伝送を示す場合、前記第１情報は負の値で使用される、端末装置。
【請求項８】
前記ＰＳＳＣＨが再伝送である場合、最初伝送のためのリソースは、ｎ−ｋ番目のサブフレームに含まれ、
前記ＰＳＣＣＨは、ｎ番目のサブフレームにおいて受信され、
ｋは、前記時間間隔である、請求項７に記載の端末装置。
【請求項９】
前記ＰＳＳＣＨが再伝送の最初伝送である場合、前記リソースは、ｎ＋ｋ番目のサブフレームに含まれ、
前記ＰＳＣＣＨは、ｎ番目のサブフレームにおいて受信され、
ｋは、前記時間間隔である、請求項７に記載の端末装置。
【請求項１０】
前記ＰＳＣＣＨとＰＳＳＣＨがＦＤＭ(Ｆｒｅｑｕｅｎｃｙ Ｄｉｖｉｓｉｏｎ Ｍｕｌｔｉｐｌｅｘｉｎｇ)されたものであり、前記ＰＳＳＣＨが再伝送に該当する場合、前記端末は前記ＰＳＳＣＨに対する測定結果を前記再伝送の最初伝送の測定結果として推定する、請求項７に記載の端末装置。
【請求項１１】
前記測定結果は前記ＰＳＳＣＨに対する参照信号の伝送電力である、請求項７に記載の端末装置。
【請求項１２】
前記参照信号は前記ＰＳＣＣＨのＤＭＲＳ(ＤｅＭｏｄｕｌａｔｉｏｎ Ｒｅｆｅｒｅｎｃｅ Ｓｉｇｎａｌ)に該当するものである、請求項１１に記載の端末装置。
【国際調査報告】
2019525680.tif 000035
2019525680.tif 000036
2019525680.tif 000037
2019525680.tif 000038